(57)【要約】【課題】Ｅ−ＰＤＣＣＨの制御情報が送信されるシステムにおいて、ＡＣＫ／ＮＡＣＫの衝突を回避しつつ、ＡＣＫ／ＮＡＣＫリソースの利用効率を高めてＰＵＳＣＨの無駄な帯域減少を抑制すること。【解決手段】無線通信端末は、ＡＲＩを含んだ制御信号を１つまたは複数のＥ−ＰＤＣＣＨ  ｓｅｔの中からいずれか１つのＥ−ＰＤＣＣＨ  ｓｅｔを介して受信する受信部と、ＡＲＩが指示するオフセット値を、制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域が重複しているか否かに応じて決定し、ＡＲＩの値に応じてＡＣＫ／ＮＡＣＫリソースにオフセットを与える制御部と、決定されたＡＣＫ／ＮＡＣＫリソースを用いてＡＣＫ／ＮＡＣＫ信号を送信する送信部と、を具備する構成を採る。【選択図】図９
2020114004.tif 000002
【特許請求の範囲】
【請求項１】
ＡＣＫ／ＮＡＣＫ指標（ＡＲＩ：ACK/NACK Resource Indicator）を含んだ制御信号を、１つまたは複数のＥ−ＰＤＣＣＨ  ｓｅｔの中からいずれか１つのＥ−ＰＤＣＣＨ  ｓｅｔを介して送信する送信部と、
前記ＡＲＩは、前記ＡＲＩの値に応じてＡＣＫ／ＮＡＣＫリソースにオフセットを与えるものであって、前記ＡＲＩが指示するオフセット値を、前記ＡＲＩを送信したＥ−ＰＤＣＣＨ  ｓｅｔにおける拡張制御チャネル要素（ｅＣＣＥ）の個数に基づき決定し、決定した前記オフセット値に基づきＡＣＫ／ＮＡＣＫ信号が受信されるＡＣＫ／ＮＡＣＫリソースを決定する制御部と、
決定された前記ＡＣＫ／ＮＡＣＫリソースを用いてＡＣＫ／ＮＡＣＫ信号を受信する受信部と、
を具備する基地局。
【請求項２】
前記ＡＲＩが指示するオフセット値を負の値とする、
請求項１記載の基地局。
【請求項３】
前記制御部は、前記ＡＲＩの値に応じて、前記ＡＲＩによるオフセットなしで定まる動的ＡＣＫ／ＮＡＣＫのＡＣＫ／ＮＡＣＫリソースに対応する２次拡散系列（ブロックワイズ拡散系列）を、前記２次拡散系列と直交する直交符号への置き換え可否を決定する、
請求項１記載の基地局。
【請求項４】
前記ＡＲＩのビット数が２ビットまたはそれ以上である、
請求項１記載の基地局。
【請求項５】
ＡＣＫ／ＮＡＣＫ指標（ＡＲＩ：ACK/NACK Resource Indicator）を含んだ制御信号を、１つまたは複数のＥ−ＰＤＣＣＨ  ｓｅｔの中からいずれか１つのＥ−ＰＤＣＣＨ  ｓｅｔを介して送信し、
前記ＡＲＩが指示するオフセット値を、前記ＡＲＩを送信したＥ−ＰＤＣＣＨ  ｓｅｔにおける拡張制御チャネル要素（ｅＣＣＥ）の個数に基づき決定し、決定した前記オフセット値に基づきＡＣＫ／ＮＡＣＫ信号を受信するＡＣＫ／ＮＡＣＫリソースを決定し、
決定された前記ＡＣＫ／ＮＡＣＫリソースを用いてＡＣＫ／ＮＡＣＫ信号を受信する、
リソース割当方法。
【発明の詳細な説明】
【技術分野】
【０００１】
本発明は、基地局およびリソース割当方法に関する。
【背景技術】
【０００２】
３ＧＰＰ（3rd Generation Partnership Project Radio Access Network）にて策定されたＬＴＥ（Long Term Evolution）  Ｒｅｌ．８（Release 8）およびその拡張版であるＬＴＥ  Ｒｅｌ．１０（LTE-Advanced）といった規格がある。これらの規格では、基地局は、無線通信端末（「ＵＥ（User Equipment）」とも呼ばれる。以下、「端末」と記す）がデータを送受信するための制御情報を、下り回線のＰＤＣＣＨ（Physical Downlink Control Channel：物理下り制御チャネル）にて送信する（非特許文献１〜３）。図１は、下り回線のサブフレーム構成を示す。サブフレーム内には、制御信号を送信するＰＤＣＣＨとデータ信号を送信するＰＤＳＣＨ（Physical Downlink Shared Channel：物理下りデータチャネル）とが時間多重される。端末は、初めに、ＰＤＣＣＨによって自身に送信された制御情報を復号し、下り回線でのデータ受信に必要な周波数割り当て、および、適応制御などに関する情報を得る。その後、端末は、制御情報に基づき、ＰＤＳＣＨに含まれる自身のデータを復号する。また、ＰＤＣＣＨに上り回線でのデータ送信を許可する制御情報が含まれている場合には、端末は、制御情報に基づき上り回線のＰＵＳＣＨ（Physical Uplink Shared Channel：物理上りデータチャネル）にてデータを送信する。
【０００３】
下り回線のデータ送受信には、誤り訂正復号と自動再送要求とを組み合わせたＨＡＲＱ（Hybrid automatic request）が導入されている。端末は受信データの誤り訂正復号を行った後、データに付加されたＣＲＣ（Cyclic redundancy checksum）に基づき、データが正しく復号できているか否かを判定する。データが正しく復号できていれば、端末は、基地局に対してＡＣＫをフィードバックする。一方、データが正しく復号できなければ、端末は、基地局に対してＮＡＣＫをフィードバックし、誤りが検出されたデータの再送を促す。このようなＡＣＫ／ＮＡＣＫ（確認応答、以下「Ａ／Ｎ」と記す）のフィードバックは、上り回線で送信される。Ａ／Ｎは、送信時点でＰＵＳＣＨにデータ割り当てがなければＰＵＣＣＨ（Physical Uplink Control Channel：物理上り制御チャネル）にて送信される。一方、Ａ／Ｎ送信時点でＰＵＳＣＨにデータ割り当てがある場合、Ａ／Ｎは、ＰＵＣＣＨまたはＰＵＳＣＨいずれかにて送信される。このときＰＵＣＣＨ又はＰＵＳＣＨのどちらで送信するかについては、基地局が予め端末に対して指示している。図２は、ＰＵＳＣＨとＰＵＣＣＨとを含む上り回線サブフレーム構成を示す。
【０００４】
Ａ／ＮをＰＵＣＣＨで送信する場合には、複数の場合分けが存在する。例えば、Ａ／Ｎの送信が周期的に上り回線で送信されるＣＳＩ（Channel state information）のフィードバックと重複した場合、ＰＵＣＣＨ  ｆｏｒｍａｔ  ２ａ／２ｂが用いられる。また、下り回線において、複数のキャリアを束ねて送信するキャリアアグリゲーション（Carrier Aggregation）がＯＮとなっていて、かつキャリア数が３以上の場合には、ＰＵＣＣＨ  ｆｏｒｍａｔ  ３が用いられる。一方、キャリアアグリゲーションがＯＦＦ、またはＯＮでもキャリア数が２以下であって、Ａ／Ｎ以外と上りスケジューリングリクエスト以外に送信する制御情報が無ければ、ＰＵＣＣＨ  ｆｏｒｍａｔ  １ａ／１ｂが用いられる。下りデータの方が上りデータよりも頻繁に送信されること、ＣＳＩフィードバックの周期は下りデータの割り当てよりも頻繁でないことを考慮すれば、Ａ／ＮはＰＵＣＣＨ  ｆｏｒｍａｔ  １ａ／１ｂで送信されることが最も多い。以下では、ＰＵＣＣＨ  ｆｏｒｍａｔ  １ａ／１ｂに着目して述べる。
【０００５】
図３は、ＰＵＣＣＨ  ｆｏｒｍａｔ  １ａ／１ｂのスロット構成を示す。複数の端末が送信するＡ／Ｎ信号は、系列長４のウォルシュ系列および系列長３のＤＦＴ（Discrete Fourier Transform）系列により拡散され、符号多重して基地局で受信される。図３において（Ｗ０、Ｗ１、Ｗ２、Ｗ３）および（Ｆ０、Ｆ１、Ｆ２）はそれぞれ前述のウォルシュ系列およびＤＦＴ系列を表す。端末では、ＡＣＫ又はＮＡＣＫを表す信号が、まず周波数軸上でＺＡＣ（Zero auto-correlation）系列（系列長１２［サブキャリア］）によって１ＳＣ−ＦＤＭＡシンボルに対応する周波数成分へ１次拡散される。すなわち、系列長１２のＺＡＣ系列に対して複素数で表されるＡ／Ｎ信号成分が乗算される。次いで、１次拡散後のＡ／Ｎ信号および参照信号としてのＺＡＣ系列が、ウォルシュ系列（系列長４：Ｗ０〜Ｗ３。ウォルシュ符号系列（Walsh Code Sequence）と呼ばれることもある）およびＤＦＴ系列（系列長３：Ｆ０〜Ｆ２）によって２次拡散される。すなわち、系列長１２の信号（１次拡散後のＡ／Ｎ信号、又は、参照信号としてのＺＡＣ系列（Reference Signal Sequence））のそれぞれの成分に対して、直交符号系列（Orthogonal sequence：例えばウォルシュ系列又はＤＦＴ系列）の各成分が乗算される。さらに、２次拡散された信号が、ＩＦＦＴ（Inverse Fast Fourier Transform）によって時間軸上の系列長１２［サブキャリア］の信号に変換される。そして、ＩＦＦＴ後の信号それぞれに対しＣＰ（Cyclic Prefix）が付加されて、７つのＳＣ−ＦＤＭＡシンボルからなる１スロットの信号が形成される。
【０００６】
異なる端末からのＡ／Ｎ信号同士は、異なる巡回シフト量（Cyclic Shift Index）に対応するＺＡＣ系列、又は、異なる系列番号（Orthogonal Cover Index : OC index）に対応する直交符号系列を用いて拡散されている。直交符号系列は、ウォルシュ系列とＤＦＴ系列との組である。また、直交符号系列はブロックワイズ拡散符号系列（Block-wise spreading code）と称されることもある。従って、基地局は、従来の逆拡散及び相関処理を用いることにより、これら符号多重および巡回シフト多重された複数のＡ／Ｎ信号を分離することができる。なお、周波数リソースブロック（ＲＢ）あたりに符号多重および巡回シフト多重できるＡ／Ｎ数は限りがあるため、端末の数が多くなると異なるＲＢに周波数多重される。以下、Ａ／Ｎが送信される符号−ＲＢリソースをＡ／Ｎリソースと呼ぶ。Ａ／Ｎリソースの番号は、Ａ／Ｎを送信するＲＢ番号と、そのＲＢにおける符号番号および巡回シフト量により決定される。ＺＡＣ系列の巡回シフトによる多重も一種の符号多重とみなせることから、以降では、直交符号および巡回シフトを併せて符号と記す場合がある。
【０００７】
なお、ＬＴＥでは、ＰＵＣＣＨにおける他セルからの干渉を低減するために、セルＩＤに基づき使用するＺＡＣ系列が決定される。異なるＺＡＣ系列間では互いの相関が小さいため、異なるセル間で異なるＺＡＣ系列を用いることにより、干渉を小さくすることができる。また同様に、セルＩＤに基づく系列ホッピングおよび巡回シフトホッピング（Cyclic Shift Hopping）も導入されている。これらのホッピングでは、セルＩＤに基づき定められる巡回シフトホッピングパターンを用いて、巡回シフト軸上および直交符号軸上で互いの相関関係を保ちつつ、ＳＣ−ＦＤＭＡシンボル単位で循環的にシフトさせる。これにより、セル内ではＡ／Ｎ信号が互いに直交関係を保ちながらも、他セルから強い干渉を受けるＡ／Ｎ信号の組合せをランダム化でき、一部の端末のみが他セルからの強い干渉を受け続けることがないようにすることができる。
【０００８】
以下の説明では、１次拡散にＺＡＣ系列を用い、２次拡散にブロックワイズ拡散コード系列を用いる場合について説明する。しかし、１次拡散には、ＺＡＣ系列以外の、互いに異なる循環シフト量により互いに分離可能な系列を用いてもよい。例えば、ＧＣＬ（Generalized Chirp Like）系列、ＣＡＺＡＣ（Constant Amplitude Zero Auto Correlation）系列、ＺＣ（Zadoff-Chu）系列、Ｍ系列または直交ゴールド符号系列等のＰＮ系列、または、コンピュータによってランダムに生成された自己相関特性が急峻な系列等を１次拡散に用いてもよい。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。
【０００９】
ところでＬＴＥでは、異なる端末に異なるＡ／Ｎリソースを割り当てる方法として、ＰＤＣＣＨの制御情報マッピング結果に基づく割り当てを採用している。すなわち、ＰＤＣＣＨの制御情報は複数の端末間で同一のリソースにマッピングされないことを利用し、ＰＤＣＣＨのリソースとＰＵＣＣＨ  ｆｏｒｍａｔ  １ａ／１ｂのＡ／Ｎリソース（以下、単にＡ／Ｎリソースと記載する）とを１対１に対応付けている。以下、このことについて詳述する。
【００１０】
ＰＤＣＣＨは１つ又は複数のＬ１／Ｌ２ＣＣＨ（L1/L2 Control Channel）から構成される。各Ｌ１／Ｌ２ＣＣＨは、１つ又は複数ＣＣＥ（Control Channel Element：制御チャネル要素）から構成される。すなわちＣＣＥは、制御情報をＰＤＣＣＨにマッピングするときの基本単位である。また、１つのＬ１／Ｌ２ＣＣＨが複数（２、４、８個）のＣＣＥから構成される場合には、そのＬ１／Ｌ２ＣＣＨには偶数のインデックスを持つＣＣＥを起点とする連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースに制御情報をマッピングして送信する。また、ここで、各ＣＣＥはＡ／Ｎリソースと１対１に対応付けられている。従って、Ｌ１／Ｌ２ＣＣＨを受信した端末は、このＬ１／Ｌ２ＣＣＨを構成するＣＣＥに対応するＡ／Ｎリソースを特定し、このリソース（つまり符号および周波数）を用いてＡ／Ｎ信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一番インデックスが小さいＣＣＥに対応するＡ／Ｎリソース（すなわち、偶数番号のＣＣＥインデックスを持つＣＣＥに対応付けられたＡ／Ｎリソース）を利用して、Ａ／Ｎ信号を基地局へ送信する。具体的には、次式（１）に基づきＡ／Ｎリソース番号ｎＰＵＣＣＨが定まる（例えば、非特許文献３参照）。
【数１】
2020114004.tif 000003
【００１１】
ここで、上記Ａ／Ｎリソース番号ｎＰＵＣＣＨは、前述のＡ／Ｎリソース番号である。Ｎはセル内共通に与えられるＡ／Ｎリソースオフセット値を表し、ｎＣＣＥは当該端末に対するＰＤＣＣＨがマッピングされたＣＣＥのうち、一番インデックスが小さいＣＣＥの番号を表す。式（１）より、ｎＣＣＥの取り得る範囲に応じて、一定範囲のＡ／Ｎリソースが使用され得ることがわかる。以下、このようにＰＤＣＣＨの制御情報スケジューリングに依存してリソースが定まるＡ／Ｎリソースを、Ｄ−Ａ／Ｎ（Ｄｙｎａｍｉｃ  Ａ／Ｎ：動的ＡＣＫ／ＮＡＣＫ）と記載する。
【００１２】
前述のように、Ａ／Ｎリソースには符号リソースに加え周波数リソースが含まれている。上り回線ではＰＵＣＣＨ、ＰＵＳＣＨが同じ周波数帯域を共有しているから、Ｄ−Ａ／Ｎを含むＰＵＣＣＨの領域とＰＵＳＣＨの帯域幅とはトレードオフとなる。
【先行技術文献】
【非特許文献】
【００１３】
【非特許文献１】3GPP TS 36.211 V10.4.0、 “Physical Channels and Modulation （Release 10）、” Dec. 2011
【非特許文献２】3GPP TS 36.212 V10.4.0、 “Multiplexing and channel coding （Release 10）、” Dec. 2011
【非特許文献３】3GPP TS 36.213 V10.4.0、“Physical layer procedures （Release 10）、” Dec. 2011
【発明の概要】
【発明が解決しようとする課題】
【００１４】
Ｒｅｌ．１１では、ＰＤＣＣＨとは異なる新たな制御チャネルＥ−ＰＤＣＣＨ（Enhanced-PDCCH）の導入が検討されている。ＰＤＣＣＨは、セル固有のパラメータにより運用されるため、複数の異なるセル間で協調通信を行うＣｏＭＰ（Coordinated multipoint operation）、または、マクロ基地局のセル内にピコ基地局を配置して運用するＨｅｔＮｅｔ（Heterogeneous network）などに適さないという課題があった。Ｅ−ＰＤＣＣＨは、端末ごとに個別に設定され、あらかじめ指示された特定の１つまたは複数のＰＲＢ（Physical Resource Block）を用いて送信される（以下、このように指示された特定の１つまたは複数のＰＲＢにより構成されるＥ−ＰＤＣＣＨのことを、Ｅ−ＰＤＣＣＨ  ｓｅｔと記載する）。なお、Ｅ−ＰＤＣＣＨ  ｓｅｔに含まれるＰＲＢの数は、端末ごと、Ｅ−ＰＤＣＣＨ  ｓｅｔごと独立に変えることができる。また、Ｅ−ＰＤＣＣＨ  ｓｅｔは、端末ごとに１つまたは複数が設定される。図４は、４つのＰＲＢからなるＥ−ＰＤＣＣＨ  ｓｅｔ  （１）と、２つのＰＲＢからなるＥ−ＰＤＣＣＨ  ｓｅｔ  （２）の２つが設定された場合の例である。下りデータの割り当てがある場合、制御信号は、従来のＰＤＣＣＨ、またはいずれかのＥ−ＰＤＣＣＨ  ｓｅｔにて送受信される。
【００１５】
Ｅ−ＰＤＣＣＨで割り当てられたＰＤＳＣＨに対するＡ／Ｎ信号のリソース決定には、Ｅ−ＰＤＣＣＨ  ｓｅｔごとに上位レイヤから与えられるＡ／Ｎリソースオフセットと、それぞれのＥ−ＰＤＣＣＨ  ｓｅｔを構成する要素単位である拡張制御チャネル要素（ｅＣＣＥ）のインデックスとを用いることが検討されている。すなわちＥ−ＰＤＣＣＨに対応するＡ／Ｎリソース番号は、上記Ａ／Ｎリソースオフセットの値と、Ｅ−ＰＤＣＣＨがマッピングされていたｅＣＣＥの番号のうち、最もインデックスが小さいｅＣＣＥ番号とを用いて決定される。最も簡単なＡ／Ｎリソース割り当てとしては、例えば次式（２）が検討されている。
【数２】
2020114004.tif 000004
【００１６】
ここでｎＰＵＣＣＨ−Ｅ−ＰＤＣＣＨ（ｎ）はＡ／Ｎリソース番号、ＮＥ−ＰＤＣＣＨ（ｎ）はｎ番目のＥ−ＰＤＣＣＨ  ｓｅｔ（ｎ）に対応するＡ／Ｎリソースオフセット、ｎｅＣＣＥ（ｎ）はＥ−ＰＤＣＣＨ  ｓｅｔ（ｎ）の中で定義されるｅＣＣＥ番号のうち、実際にＥ−ＰＤＣＣＨが送信されたｅＣＣＥで一番インデックスが小さいｅＣＣＥ番号である。なお、ＮＥ−ＰＤＣＣＨ（ｎ）は上位レイヤにより通知される値である。
【００１７】
Ｅ−ＰＤＣＣＨ  ｓｅｔ（ｎ）に対応するＡ／Ｎリソースオフセットを適切に設定することにより、ＰＤＣＣＨおよび１つまたは複数のＥ−ＰＤＣＣＨ  ｓｅｔが運用される環境においても、端末が送信するＡ／Ｎ信号を適切に割り当てることができる。図５は、ＰＤＣＣＨおよび２つのＥ−ＰＤＣＣＨ  ｓｅｔ（１）、（２）が運用されている場合のＡ／Ｎリソース制御の一例を示している。Ａ／ＮリソースオフセットとＥ−ＰＤＣＣＨ  ｓｅｔに含まれるｅＣＣＥの数（ＰＤＣＣＨの場合はＣＣＥの数）によりそれぞれのＤｙｎａｍｉｃ  Ａ／Ｎがとり得るリソース領域が定まるので、リソース領域間が重複しないようＡ／Ｎリソースオフセットの値を調節すれば、ＰＤＣＣＨおよびＥ−ＰＤＣＣＨ  ｓｅｔ（１）、（２）を同時に運用できる。また、これにより上りリソース全体のうちＰＵＣＣＨに必要なリソース総量が定まり、残った上りリソースをＰＵＳＣＨとして使用する。
【００１８】
Ａ／Ｎリソースオフセットを十分大きな値とすることで複数のＤｙｎａｍｉｃ  Ａ／Ｎ領域が重複しないよう運用できる一方で、使用するＥ−ＰＤＣＣＨ  ｓｅｔの数に応じてＤ−Ａ／Ｎに要するリソース総量が増え、ＰＵＣＣＨオーバーヘッドが増加してしまう。
【００１９】
反対に、Ａ／Ｎリソースオフセットを調節し、複数のＤｙｎａｍｉｃ  Ａ／Ｎ領域が重複するよう運用することもできる。図６に一例を示す。この場合、必要なＰＵＣＣＨリソース総量を低減できるため、ＰＵＳＣＨに使用できるリソースが増加するので、上りリンクのスループットの改善が期待できる。ただし、Ｄｙｎａｍｉｃ  Ａ／Ｎ領域が重複するＥ−ＰＤＣＣＨ  ｓｅｔ間またはＰＤＣＣＨ／Ｅ−ＰＤＣＣＨ間で使用するＡ／Ｎリソースが衝突（重複）する可能性がある。このようなＡ／Ｎリソースの衝突が起こる場合、いずれか１つのＰＤＣＣＨ／Ｅ−ＰＤＣＣＨのみしか割り当てできない（ブロッキング）ため、下りスループットが劣化してしまう。
【００２０】
そこで、複数のＤｙｎａｍｉｃ  Ａ／Ｎ領域を重複して運用しつつ、Ａ／Ｎリソースの衝突を回避する方法として、Ｅ−ＰＤＣＣＨの制御情報内に更なるオフセットを通知する制御ビットを追加する方法が検討されている。以下、この制御ビットをＡＣＫ／ＮＡＣＫ  Ｒｅｓｏｕｒｃｅ  Ｉｎｄｉｃａｔｏｒ（ＡＲＩ：ＡＣＫ／ＮＡＣＫ指標）と呼ぶ。
【００２１】
ＡＲＩは１または複数ビットにより構成され、オフセット０を含む１つまたは複数のオフセット値から１つを通知する。例えばＡＲＩが１ビットの場合、ＡＲＩ＝０のときオフセット値０、ＡＲＩ＝１のときオフセット値１０、などのようにして用いる。Ｅ−ＰＤＣＣＨによる制御情報送信ごとに高速にオフセット値を切り替えられることから、動的オフセットとも呼ばれる。以下、ＡＲＩによる追加オフセットを、動的オフセットと記載する。
【００２２】
ＡＲＩによる動的オフセットは、Ｅ−ＰＤＣＣＨでサポートされるマルチユーザＭＩＭＯにとっても有用である。マルチユーザＭＩＭＯでは、同一の物理無線リソースに異なる端末向けの制御情報を多重する。しかし、ＡＲＩが無いと、マルチユーザＭＩＭＯで多重された端末間で制御情報がスケジューリングされるＥ−ＰＤＣＣＨのｅＣＣＥインデックスが同じであるため、Ａ／Ｎリソースの衝突が起こる。したがってＡＲＩにより異なる端末に対して異なる動的オフセットを通知することで、このようなマルチユーザＭＩＭＯにおけるＡ／Ｎリソースの衝突も回避できる。
【００２３】
ＡＲＩを用いる場合、式（２）のようにｅＣＣＥのインデックスにより定まるＡ／Ｎリソース番号に対し、ＡＲＩの値に応じてあらかじめ定められたオフセットを加算する方法が考えられる。したがって、ＰＤＣＣＨ／Ｅ−ＰＤＣＣＨのスケジューリングを行った後、スケジューリング結果から決定される端末間のＡ／Ｎリソースが衝突する場合に、片方の端末にはＡＲＩ＝０、もう一方の端末にはＡＲＩ＝１などと通知することで、片方の端末にのみＡＲＩで動的オフセットを指示し、別のＡ／Ｎリソースを指示する。これによりＤｙｎａｍｉｃ  Ａ／Ｎ領域を重複運用しているときでも、Ａ／Ｎリソースの衝突確率を低減することができる。
【００２４】
ＡＲＩによる動的オフセットの値を大きく規定することで、Ａ／Ｎリソースの衝突を高い確率で回避できる。特に図７Ａのように、複数のＤｙｎａｍｉｃ  Ａ／Ｎ領域が重複運用されている場合、動的オフセットの値が大きければ、重複するＤｙｎａｍｉｃ  Ａ／Ｎ領域を飛び越えてＡ／Ｎリソースを指示できる。しかしながら、ＡＲＩによる動的オフセットの値が大きいと、ＰＵＣＣＨのリソースオーバーヘッド増大につながる。特に図７Ｂのように、複数のＤｙｎａｍｉｃ  Ａ／Ｎ領域が重複運用されていない場合には、異なるＤｙｎａｍｉｃ  Ａ／Ｎ領域間でＡ／Ｎリソースが衝突することはなく、マルチユーザＭＩＭＯのＡ／Ｎリソース衝突が問題となる。しかしマルチユーザＭＩＭＯのＡ／Ｎリソース衝突時にＡＲＩで大きなオフセットを加えることで、ＰＵＣＣＨのリソースオーバーヘッドが増大し、上りデータに割り当てるリソースが減り、上りスループットの劣化につながってしまう。
【００２５】
他方、ＡＲＩによる動的オフセットの値を小さく規定した場合、Ａ／Ｎリソースの衝突回避を保証できない。特に図８Ａのように、複数のＤｙｎａｍｉｃ  Ａ／Ｎ領域が重複運用されている場合、動的オフセットの値が小さいとオフセットを加えても衝突となる場合がある。一方で、ＡＲＩによる動的オフセットの値が小さい場合、図８Ｂのように複数のＤｙｎａｍｉｃ  Ａ／Ｎ領域が重複運用されていない場合には、マルチユーザＭＩＭＯのＡ／Ｎリソース衝突を回避でき、ＰＵＣＣＨリソースのオーバーヘッド増大を最小限に抑えられるというメリットがある。
【００２６】
本発明の目的は、ＡＲＩを用いてＡ／Ｎリソースの動的オフセットを指示するＥ−ＰＤＣＣＨにおいて、Ａ／Ｎの衝突を回避しつつ、Ａ／Ｎリソースの利用効率を高めてＰＵＳＣＨの帯域を無駄に減少させない基地局およびリソース割当方法を提供することである。
【課題を解決するための手段】
【００２７】
本発明の一態様に係る基地局は、ＡＣＫ／ＮＡＣＫ指標（ＡＲＩ：ACK/NACK Resource Indicator）を含んだ制御信号を、１つまたは複数のＥ−ＰＤＣＣＨ  ｓｅｔの中からいずれか１つのＥ−ＰＤＣＣＨ  ｓｅｔを介して送信する送信部と、前記ＡＲＩは、前記ＡＲＩの値に応じてＡＣＫ／ＮＡＣＫリソースにオフセットを与えるものであって、前記ＡＲＩが指示するオフセット値を、前記ＡＲＩを送信したＥ−ＰＤＣＣＨ  ｓｅｔにおける拡張制御チャネル要素（ｅＣＣＥ）の個数に基づき決定し、決定した前記オフセット値に基づきＡＣＫ／ＮＡＣＫ信号が受信されるＡＣＫ／ＮＡＣＫリソースを決定する制御部と、決定された前記ＡＣＫ／ＮＡＣＫリソースを用いてＡＣＫ／ＮＡＣＫ信号を受信する受信部と、を具備する。
【００２８】
本発明の一態様に係るリソース割当方法は、ＡＣＫ／ＮＡＣＫ指標（ＡＲＩ：ACK/NACK Resource Indicator）を含んだ制御信号を、１つまたは複数のＥ−ＰＤＣＣＨ  ｓｅｔの中からいずれか１つのＥ−ＰＤＣＣＨ  ｓｅｔを介して送信し、前記ＡＲＩが指示するオフセット値を、前記ＡＲＩを送信したＥ−ＰＤＣＣＨ  ｓｅｔにおける拡張制御チャネル要素（ｅＣＣＥ）の個数に基づき決定し、決定した前記オフセット値に基づきＡＣＫ／ＮＡＣＫ信号を受信するＡＣＫ／ＮＡＣＫリソースを決定し、決定された前記ＡＣＫ／ＮＡＣＫリソースを用いてＡＣＫ／ＮＡＣＫ信号を受信する。
【発明の効果】
【００２９】
本発明によれば、下りデータに対するＡ／Ｎ信号の衝突を回避しつつ、Ａ／Ｎリソースの利用効率を高めてＰＵＳＣＨの帯域が無駄に減少することを回避できる。
【図面の簡単な説明】
【００３０】
【図１】下り回線のサブフレーム構成を示す図
【図２】上り回線のサブフレーム構成を示す図
【図３】ＰＵＣＣＨ  ｆｏｒｍａｔｓ  １ａ／１ｂのＡ／Ｎ信号の拡散方法を説明する図
【図４】Ｅ−ＰＤＣＣＨが送信される時の下り回線のサブフレーム構成の一例を示す図
【図５】ＰＤＣＣＨおよび複数のＥ−ＰＤＣＣＨ  ｓｅｔに対応する各Ｄｙｎａｍｉｃ  Ａ／Ｎ領域が重複しないよう設定された場合の上りリソースを示す図
【図６】複数のＥ−ＰＤＣＣＨ  ｓｅｔに対応する各Ｄｙｎａｍｉｃ  Ａ／Ｎ領域が重複するよう設定された場合の上りリソースを示す図
【図７】ＡＲＩによるオフセットが大きな値であるときに動的オフセットを加えたときの例を示す図
【図８】ＡＲＩによるオフセットが小さな値であるときに動的オフセットを加えたときの例を示す図
【図９】本発明の一実施の形態の通信システムを示す図
【図１０】本発明の一実施の形態の基地局の要部を示すブロック図
【図１１】本発明の一実施の形態の基地局の詳細を示すブロック図
【図１２】本発明の一実施の形態の端末の要部を示すブロック図
【図１３】本発明の一実施の形態の端末の詳細を示すブロック図
【図１４】本発明の一実施の形態におけるＡＲＩが加えるオフセット値を示す図
【図１５】本発明の一実施の形態のバリエーション１におけるＡＲＩが加えるオフセット値を示す図
【図１６】本発明の一実施の形態のバリエーション２におけるＡＲＩが加えるオフセット値を示す図
【図１７】本発明の一実施の形態に係るＥ−ＰＤＣＣＨが複数の異なるＥ−ＰＤＣＣＨ  ｓｅｔに属するＰＲＢにより送信される例を示す図
【発明を実施するための形態】
【００３１】
以下、本発明の実施の形態について図面を参照して詳細に説明する。なお、本実施の形態において、同一の構成要素には同一の符号を付し、その説明は重複するので省略する。
【００３２】
［通信システムの概要］
図９は、本実施の形態に係る通信システムを示す。図９に示す通信システムは、セル内の１つの基地局１００と複数の端末２００とから構成される。なお、図９では、基地局１００は、セル内に１つだけ設置されているが、光ファイバ等の大容量バックホールで接続されたピコ基地局又はRRH（Remote radio head）を同一セル内に分散配置するHetNet（Heterogeneous network）又はCoMP（Coordinated multipoint）等のシステム運用であってもよい。
【００３３】
［基地局１００構成］
図１０は、基地局１００の要部を示すブロック図である。
【００３４】
基地局１００は、図１０に示すように、複数の端末２００へそれぞれ送信する複数の制御情報を生成する制御部１１０と、制御情報および送信データを無線送信用の信号に変換しアンテナ１１を介して信号を無線送信する送信部１２０と、を備えている。
【００３５】
制御部１１０は、下り回線のリソース割当情報等から各端末２００の制御情報を生成する。また、制御部１１０は、各端末２００に送信する制御情報をＰＤＣＣＨまたはＥ−ＰＤＣＣＨにスケジューリングする。制御情報がＥ−ＰＤＣＣＨで送信される場合、制御情報は、あらかじめ端末２００に対して設定された１つまたは複数のＥ−ＰＤＣＣＨ  ｓｅｔのうち、いずれか１つのＥ−ＰＤＣＣＨ  ｓｅｔにより送信される。また、Ｅ−ＰＤＣＣＨ端末には、Ｅ−ＰＤＣＣＨに含まれるＡＲＩを用いて、Ａ／Ｎリソース番号のオフセット値が通知される。したがって、制御部１１０は、ＡＲＩを含んだＥ−ＰＤＣＣＨ端末の制御情報を生成して、送信部１２０へ出力する。
【００３６】
ここで、ＡＲＩで指示するオフセットの値は、Ｅ−ＰＤＣＣＨの設定情報、すなわち端末に対して設定された１つまたは複数のＥ−ＰＤＣＣＨ  ｓｅｔにおけるそれぞれのＡ／Ｎリソースオフセット値、および、各Ｅ−ＰＤＣＣＨ  ｓｅｔ中に含まれるｅＣＣＥの総数、などにより異なるものとする。
【００３７】
送信部１２０は、送信データおよび制御情報が含まれる各チャネルの信号を無線送信する。すなわち、送信部１２０は、送信データをＰＤＳＣＨで送信し、ＰＤＣＣＨ端末の制御情報をＰＤＣＣＨで送信し、Ｅ−ＰＤＣＣＨ端末の制御情報をＥ−ＰＤＣＣＨで送信する。
【００３８】
図１１は、基地局１００の詳細を示すブロック図である。
【００３９】
詳細には、基地局１００は、図１１に示すように、アンテナ１１、制御情報生成部１２、制御情報符号化部１３、変調部１４、１７、データ符号化部１５、再送制御部１６、サブフレーム構成部１８、ＩＦＦＴ部１９、ＣＰ付加部２０、および、無線送信部２１等を備えている。また、基地局１００は、無線受信部２２、ＣＰ除去部２３、逆拡散部２４、相関処理部２５、および、判定部２６等を備えている。
【００４０】
これらのうち、制御情報生成部１２が主に制御部１１０（図１０）として機能し、制御情報符号化部１３から無線送信部２１ならびにデータ符号化部１５から無線送信部２１にかけた構成が主に送信部１２０（図１０）として機能する。
【００４１】
基地局１００は、下り回線にてＰＤＣＣＨ、Ｅ−ＰＤＣＣＨ、ＰＤＳＣＨを送信する。また、基地局１００は、上り回線にてＡ／Ｎ信号を運ぶＰＵＣＣＨを受信する。なお、ここでは、説明が煩雑になることを避けるために、本実施の形態の特徴と密接に関連する下り回線のＰＤＣＣＨ、Ｅ−ＰＤＣＣＨ、ＰＤＳＣＨの送信、および、その下り回線データに対するＰＵＣＣＨの上り回線での受信に係わる構成部を主に示している。そして、上り回線データの受信に係わる構成部の図示および説明を省略する。
【００４２】
基地局１００が生成する下り回線の制御信号（リソース割当情報）とデータ信号（送信データ）は、それぞれ別個に符号化および変調され、サブフレーム構成部１８へと入力される。
【００４３】
まず、制御信号の生成について述べる。制御情報生成部１２は、下り回線の割り当てを行う各端末２００のリソース割り当て結果（リソース割当情報）と符号化率情報とから、各端末２００への制御情報を生成する。端末２００毎の制御情報には、どの端末２００に宛てた制御情報であるかを示す端末ＩＤ情報が含まれる。例えば、制御情報の通知先の端末２００のＩＤ番号でマスキングされたＣＲＣビットが端末ＩＤ情報として制御情報に含まれる。ここで、ＰＤＣＣＨにマッピングされる制御情報とＥ−ＰＤＣＣＨにマッピングされる制御情報とで、異なる情報が含まれる。特にＥ−ＰＤＣＣＨにマッピングされる制御情報には、Ａ／Ｎリソース番号の動的オフセット量を通知するためのＡＲＩが含まれる。生成した各端末２００への制御情報は制御情報符号化部１３へ入力される。
【００４４】
制御情報符号化部１３は、端末２００ごとの制御情報を、符号化率情報に基づいて、それぞれ独立に符号化する。符号化は、ＰＤＣＣＨにマッピングされる制御情報とＥ−ＰＤＣＣＨにマッピングされる制御情報とで同じでも良いし異なっても良い。制御情報符号化部１３の出力は、変調部１４へ入力される。
【００４５】
変調部１４は、端末２００ごとの制御情報をそれぞれ独立に変調する。変調は、ＰＤＣＣＨにマッピングされる制御情報とＥ−ＰＤＣＣＨにマッピングされる制御情報とで同じでも良いし異なっても良い。変調部１４の出力は、サブフレーム構成部１８へ入力される。
【００４６】
次に、データ信号の生成について述べる。データ符号化部１５は、各端末２００に送信するデータビット系列（送信データ）に対して各端末２００のＩＤに基づきマスキングされたＣＲＣビットを付加し、それぞれ誤り訂正符号化する。データ符号化部１５の出力は、再送制御部１６へ入力される。
【００４７】
再送制御部１６は、端末２００ごとの符号化送信データを保持しておき、初回送信時には送信データを変調部１７へ出力する。一方、再送制御部１６は、判定部２６からＮＡＣＫ信号が入力された端末２００、すなわち再送を行う端末２００に対しては、その再送に対応する送信データを変調部１７に出力する。
【００４８】
変調部１７は、入力された各端末２００へのデータ符号化系列をそれぞれデータ変調する。変調系列は、サブフレーム構成部１８へ入力される。
【００４９】
サブフレーム構成部１８は、リソース割当情報に基づいて、入力された制御情報系列とデータ系列をサブフレームの時間および周波数で分割されたリソースへとマッピングする。これにより、サブフレーム構成部１８は、サブフレームを構成し、ＩＦＦＴ部１９へと出力する。
【００５０】
ＩＦＦＴ部１９は、入力された送信サブフレームに対してＩＦＦＴ（Inverse Fast Fourier Transform）を行い、時間波形を得る。得られた時間波形はＣＰ付加部２０へ入力される。
【００５１】
ＣＰ付加部２０は、サブフレーム内の各ＯＦＤＭシンボルにＣＰを付加して無線送信部２１へ出力する。
【００５２】
無線送信部２１は、入力したシンボルに対して搬送波周波数帯へ無線変調が行われ、アンテナ１１を介して変調された下り回線信号を送信する。
【００５３】
無線受信部２２は、端末２００のＡ／Ｎ信号を受信したアンテナ１１からの入力を受け、無線復調が行われる。復調された下り回線信号はＣＰ除去部２３へと入力される。
【００５４】
ＣＰ除去部２３は、下り回線信号内の各ＳＣ−ＦＤＭＡ（Single Carrier-Frequency-Division Multiple Access）シンボルからＣＰを除去する。ＣＰ除去後のシンボルは逆拡散部２４へ入力される。
【００５５】
逆拡散部２４は、符号多重された複数端末２００のＡ／Ｎ信号から対象となる端末２００のＡ／Ｎを取りだすため、対応する直交符号による逆拡散を行う。逆拡散後された信号は相関処理部２５へと入力される。
【００５６】
相関処理部２５は、Ａ／Ｎを取りだすためＺＡＣ系列による相関処理を行う。相関処理後の信号は、判定部２６へと入力される。
【００５７】
判定部２６は、当該端末２００のＡ／ＮがＡＣＫ、ＮＡＣＫいずれであったか判定する。判定結果がＡＣＫであった場合、判定部２６は再送制御部１６に次のデータの送信を促す。一方、判定結果がＮＡＣＫであった場合、判定部２６は再送制御部１６に再送を促す。
【００５８】
［端末２００の構成］
図１２は、端末の要部を示すブロック図である。
【００５９】
端末２００は、アンテナ４１を介して制御情報および下りデータを受信する受信部２３０と、制御情報に基づいてＡ／Ｎ信号を送信するリソースを決定する制御部２２０と、決定したリソースでＡ／Ｎ信号を送信する送信部２１０とを備えている。
【００６０】
端末２００は、Ｅ−ＰＤＣＣＨの制御情報を受信するよう設定されている場合に、Ｅ−ＰＤＣＣＨ端末となり、ＰＤＣＣＨの制御情報を受信するよう設定されている場合に、ＰＤＣＣＨ端末となる。また、端末２００は、両方を受信するよう設定される場合もある。すなわち、両方受信するよう設定された端末２００は、Ｅ−ＰＤＣＣＨとＰＤＣＣＨの両方から制御情報の受信を試み、Ｅ−ＰＤＣＣＨから自身の制御情報を抽出できたらＥ−ＰＤＣＣＨ端末に、ＰＤＣＣＨから自身の制御情報を抽出できたらＰＤＣＣＨ端末となる。特に通知や指定がない場合には、端末２００は、ＰＤＣＣＨ端末となる。
【００６１】
さらに端末２００は、自身の制御情報が含まれる可能性のあるＥ−ＰＤＣＣＨ  ｓｅｔの情報をＲＲＣ等の上位レイヤより通知されている。Ｅ−ＰＤＣＣＨ  ｓｅｔは１つであってもよいし、複数であってもよい。端末２００は、複数のＥ−ＰＤＣＣＨ  ｓｅｔを設定された場合、それぞれのＥ−ＰＤＣＣＨ  ｓｅｔに対してＥ−ＰＤＣＣＨのブラインド検出を試みる。また、端末２００は、複数のＥ−ＰＤＣＣＨ  ｓｅｔを設定された場合、自身のＥ−ＰＤＣＣＨを検出したＰＲＢにより、いずれのＥ−ＰＤＣＣＨ  ｓｅｔが用いられたかを認識する。
【００６２】
受信部２３０は、ＰＤＳＣＨを介して受信データを受信し、Ｅ−ＰＤＣＣＨまたはＰＤＣＣＨを介して制御情報を受信する。すなわち、受信部２３０は、Ｅ−ＰＤＣＣＨ端末２００の場合には、Ｅ−ＰＤＣＣＨを介してＡＲＩを含んだ制御情報を受信し、ＰＤＣＣＨ端末２００の場合には、ＰＤＣＣＨを介して制御情報を受信する。受信部２３０は、受信した制御情報を制御部２２０へ出力する。
【００６３】
制御部２２０は、Ｅ−ＰＤＣＣＨ端末２００である場合、受信データのＡ／Ｎ信号の送信リソースを、受信したＥ−ＰＤＣＣＨ制御情報が属するＥ−ＰＤＣＣＨ  ｓｅｔの設定情報およびＡ／Ｎリソースオフセット値、端末２００に設定されているものの使用されなかった１つまたは複数のＥ−ＰＤＣＣＨ  ｓｅｔの設定情報およびＡ／Ｎリソースオフセット値、Ｅ−ＰＤＣＣＨがマッピングされた最小のｅＣＣＥインデックス、およびＡＲＩの値、などに基づいて、フィードバックに用いるＡ／Ｎリソースを同定する。また、制御部２２０は、ＰＤＣＣＨ端末２００である場合、従前のＰＤＣＣＨ端末と同様に、Ａ／Ｎ信号の送信リソースを決定する。制御部２２０は、決定内容を送信部２１０へ出力する。
【００６４】
送信部２１０は、決定されたリソースを使用して、受信データのＡ／Ｎ信号を無線送信する。
【００６５】
図１３は、端末の詳細を示すブロック図である。
【００６６】
端末２００は、詳細には、図１３に示すように、アンテナ４１、無線受信部４２、ＣＰ除去部４３、ＦＦＴ部４４、抽出部４５、データ復調部４６、データ復号部４７、判定部４８、制御情報復調部４９、制御情報復号部５０、制御情報判定部５１、制御処理部５２、Ａ／Ｎ信号変調部５３、１次拡散部５４、ＩＦＦＴ部５５、ＣＰ付加部５６、２次拡散部５７、多重部５８、および、無線送信部５９を備えている。また、端末２００は、参照信号用のＩＦＦＴ部６０、ＣＰ付加部６１および拡散部６２を備えている。
【００６７】
これらのうち、制御処理部５２が主に制御部２２０（図１２）として機能する。また、Ａ／Ｎ信号変調部５３から無線送信部５９にかけた構成が主に送信部２１０として機能し、無線受信部４２から判定部４８および無線受信部４２から制御情報判定部５１にかけた構成が主に受信部２３０（図１２）として機能する。
【００６８】
端末２００は、下り回線でＰＤＣＣＨまたはＥ−ＰＤＣＣＨにマッピングされた制御情報、および、ＰＤＳＣＨにマッピングされた下り回線データを受信する。また、端末２００は、上り回線でＰＵＣＣＨを送信する。ここでは、説明が煩雑になることを避けるために、本実施の形態の特徴と密接に関連する下り回線（具体的には、ＰＤＣＣＨ、Ｅ−ＰＤＣＣＨ、ＰＤＳＣＨ）の受信、および、下り回線の受信データに対する上り回線（具体的には、ＰＵＣＣＨ）での送信に係わる構成部のみを示す。
【００６９】
無線受信部４２は、基地局１００から送信された下り回線信号を受信したアンテナ４１からの入力を受け、無線復調を行い、ＣＰ除去部４３へ出力する。
【００７０】
ＣＰ除去部４３はサブフレーム内の各ＯＦＤＭシンボル時間波形からＣＰを除去し、ＦＦＴ部４４へ出力する。
【００７１】
ＦＦＴ部４４は、入力された時間波形に対し、ＯＦＤＭ（Orthogonal Frequency Division Multiplexing）復調を行うためにＦＦＴ（Fast Fourier Transform）を行い、周波数領域におけるサブフレームを得る。得られた受信サブフレームは抽出部４５へ入力される。
【００７２】
抽出部４５は、ＰＤＣＣＨ領域またはＥ−ＰＤＣＣＨ領域から自端末向けの制御情報を抽出する。ＰＤＣＣＨ、Ｅ−ＰＤＣＣＨのいずれに制御情報が含まれているかという情報は、基地局１００から予め指示されているものとする（図示せず）。なお、端末２００はＰＤＣＣＨとＥ−ＰＤＣＣＨの両方を観測し、いずれにより制御情報が送信されたとしても、受信できるとしてもよい。抽出部４５は、制御情報の符号化率情報を用いて、自身の制御情報がマッピングされている可能性のある制御情報領域から１つまたは複数の制御情報候補を抽出し、制御情報復調部４９へ出力する。また、抽出部４５は、制御情報判定部５１から結果が得られたら、自端末宛の制御情報に含まれるリソース割り当て結果に基づき、受信サブフレームから自端末向けのデータ信号を抽出する。得られたデータ信号はデータ復調部４６へ入力される。
【００７３】
制御情報復調部４９は、入力された１つまたは複数の制御情報に対して復調を行い、制御情報復号部５０へ出力する。
【００７４】
制御情報復号部５０は、制御情報の符号化率情報を用いて、入力された１つまたは複数の復調系列に対してそれぞれ復号を行う。復号結果は制御情報判定部５１へ入力される。
【００７５】
制御情報判定部５１は、１つまたは複数の復号結果から、端末ＩＤ情報を用いて自端末宛の制御情報を判定する。判定には、制御情報に含まれる自端末ＩＤ情報でマスキングされたＣＲＣビットなどが用いられる。制御情報判定部５１は、自端末宛の制御情報があった場合、その制御情報を抽出部４５へ出力する。また、制御情報判定部５１は、その制御情報を制御処理部５２へ出力する。
【００７６】
制御処理部５２は、ＰＤＣＣＨ端末２００の場合とＥ−ＰＤＣＣＨ端末２００の場合とで、異なる動作を行う。
【００７７】
ＰＤＣＣＨ端末２００の場合、制御処理部５２は、制御情報がマッピングされたリソース（ＣＣＥ）番号から、式（１）に基づきＡ／Ｎ信号のリソース番号を求める。制御処理部５２は、求めたＡ／Ｎ信号リソース番号から、１次拡散、２次拡散および参照信号に用いる各拡散符号と、ＰＵＣＣＨを送信する周波数リソースブロック（ＰＲＢ）とを決定する。これらの情報は、１次拡散部５４、２次拡散部５７および参照信号の拡散部６２へ入力される。
【００７８】
一方、Ｅ−ＰＤＣＣＨ端末２００の場合、制御処理部５２は、受信したＥ−ＰＤＣＣＨ制御情報が属するＥ−ＰＤＣＣＨ  ｓｅｔの設定情報およびＡ／Ｎリソースオフセット値、端末２００に設定されているものの使用されなかった１つまたは複数のＥ−ＰＤＣＣＨ  ｓｅｔの設定情報およびＡ／Ｎリソースオフセット値、Ｅ−ＰＤＣＣＨがマッピングされた最小のｅＣＣＥインデックス、およびＡＲＩの値、などに基づいて、フィードバックに用いるＡ／Ｎリソースを同定する。制御処理部５２は、指示されたＡ／Ｎリソース番号に対応する１次拡散、２次拡散および参照信号に用いる各拡散符号と、ＰＵＣＣＨを送信する周波数リソースブロック（ＰＲＢ）とを決定する。そして、制御処理部５２は、各拡散符号をそれぞれ１次拡散部５４、２次拡散部５７および参照信号の拡散部６２へ出力する。
【００７９】
データ復調部４６は、入力された自端末向けのデータ信号を復調する。復調結果はデータ復号部４７へ入力される。
【００８０】
データ復号部４７は、入力された復調データに対して復号を行う。復号結果は判定部４８へ入力される。
【００８１】
判定部４８は、端末２００のＩＤでマスキングされたＣＲＣを用いて、復号結果が正しいか否かを判定する。復号結果が正しい場合には、判定部４８は、ＡＣＫ信号をＡ／Ｎ信号変調部５３へ出力し、また、受信データを取りだす。復号結果が正しくない場合には、判定部４８は、ＮＡＣＫ信号をＡ／Ｎ信号変調部５３へ出力する。
【００８２】
Ａ／Ｎ信号変調部５３は、入力信号がＡＣＫであるかＮＡＣＫであるかによって値の異なる変調シンボルを生成する。生成された変調シンボルは、１次拡散部５４へ入力される。
【００８３】
１次拡散部５４は、制御処理部５２より入力されたＺＡＣ系列を用いてＡ／Ｎ信号を１次拡散し、１次拡散後のＡ／Ｎ信号をＩＦＦＴ部５５に出力する。ここで、循環シフトホッピングに用いる循環シフト量はＳＣ−ＦＤＭＡ単位で異なるため、１次拡散部５４は、ＳＣ−ＦＤＭＡシンボル毎に異なる循環シフト量を用いてＡ／Ｎ信号を１次拡散する。
【００８４】
ＩＦＦＴ部５５は、１次拡散部５４から入力されたＳＣ−ＦＤＭＡシンボルごとにＩＦＦＴを行い、得られる時間波形をＣＰ付加部５６へ出力する。
【００８５】
ＣＰ付加部５６は、入力されたＳＣ−ＦＤＭＡ時間波形ごとにＣＰを付加し、この信号を２次拡散部５７へ出力する。
【００８６】
２次拡散部５７は、ＣＰ付加後のＳＣ−ＦＤＭＡ時間波形に対し、ブロックワイズ拡散コード系列を用いて２次拡散を行う。拡散符号は、制御処理部５２によって指示された符号が用いられる。２次拡散された系列は多重部５８へ入力される。
【００８７】
多重部５８は、参照信号の拡散部６２と２次拡散部５７とからそれぞれ入力された２つの系列を時間多重し、ＰＵＣＣＨサブフレームを構成する。時間多重された信号は無線送信部５９へ入力される。
【００８８】
無線送信部５９は、入力された信号に対して搬送波周波数帯へ無線変調を行い、アンテナ４１から上り回線信号を無線送信する。
【００８９】
ＩＦＦＴ部６０は、参照信号に対してＩＦＦＴを行い、得られる時間波形をＣＰ付加部６１へ出力する。
【００９０】
ＣＰ付加部６１は、入力された参照信号の時間波形にＣＰを付加し、この信号を拡散部６２へ出力する。
【００９１】
拡散部６２は、ＣＰ付加後の時間波形に対し拡散を行う。拡散符号は、制御処理部５２によって指示された符号が用いられる。拡散された系列は多重部５８へ入力される。
【００９２】
［動作］
本実施の形態の基地局１００及び端末２００の処理フローをステップ（１）〜（７）で説明する。
【００９３】
ステップ（１）：基地局１００は、ＰＤＳＣＨの送受信よりも前に、Ｅ−ＰＤＣＣＨで制御情報を送信し得る端末２００に対し、Ｅ−ＰＤＣＣＨの使用を通知しておく。なお、基地局１００は、Ｅ−ＰＤＣＣＨで送信しない端末２００には、特に通知を行わなくても良い。端末２００も、特に通知が無い、または認識できない場合には、ＰＤＣＣＨで制御情報が送信されるものとして制御情報を受信する。また、基地局１００は、Ｅ−ＰＤＣＣＨで制御情報を送信する可能性がある端末２００には、ＰＤＳＣＨの送受信よりも前に、使用する可能性のある１つまたは複数のＥ−ＰＤＣＣＨ  ｓｅｔの設定情報を通知しておく。この設定情報には、各Ｅ−ＰＤＣＣＨ  ｓｅｔに含まれる周波数リソースブロック（ＰＲＢ）の個数、周波数ポジション、各Ｅ−ＰＤＣＣＨ  ｓｅｔに対応するＡ／Ｎリソースオフセット値、各Ｅ−ＰＤＣＣＨ  ｓｅｔがＬｏｃａｌｉｚｅｄモードかＤｉｓｔｒｉｂｕｔｅｄモードか、などがある。ここでＬｏｃａｌｉｚｅｄモードとは、ｅＣＣＥが１つのＰＲＢにより送信されるモードであり、Ｄｉｓｔｒｉｂｕｔｅｄモードとは、ｅＣＣＥがさらに複数の構成要素に分割され、異なる２つ以上のＰＲＢに分散して送信されるモードをいう。
【００９４】
ステップ（２）：基地局１００は、各サブフレームにおいてデータを割り当てる端末２００を決定し、ＰＤＳＣＨ内にスケジューリングする。スケジューリングには、各端末２００へのトラフィック量に加え、端末２００が送信するＣＳＩフィードバックまたはサウンディング参照信号（ＳＲＳ）なども利用される。
【００９５】
ステップ（３）：基地局１００は、スケジューリング結果を含む制御情報を各端末２００宛に生成し、それらをＰＤＣＣＨまたはＥ−ＰＤＣＣＨにスケジューリングする。基地局１００は、複数のＥ−ＰＤＣＣＨ  ｓｅｔが設定された端末２００に対しては、Ｅ−ＰＤＣＣＨを送信するＥ−ＰＤＣＣＨ  ｓｅｔを決定し、そのＥ−ＰＤＣＣＨ  ｓｅｔの中で制御情報のスケジューリングを行う。
【００９６】
また、基地局１００は、制御情報をスケジューリングしたすべての端末２００間で、Ａ／Ｎリソースの衝突が起こらないか確認する。Ａ／Ｎリソースの衝突が起こる場合には、基地局１００は、Ｅ−ＰＤＣＣＨ制御情報に含まれるＡＲＩで動的オフセットを与えることで、Ａ／Ｎリソースの衝突を回避できるか調べる。基地局１００は、衝突が回避できる場合、その動的オフセットを端末２００に指示する。基地局１００は、ＡＲＩを用いてもＡ／Ｎリソースの衝突を回避できない場合、衝突が起こる複数の端末２００のうち１つを残し、残りの端末２００に対するスケジューリングを諦める（割り当てブロック）。
【００９７】
なお、ＡＲＩによりオフセットさせる値は、対象端末２００に設定された１つまたは複数のＥ−ＰＤＣＣＨ  ｓｅｔと、それに対応する各Ｄｙｎａｍｉｃ  Ａ／Ｎ領域の設定、および、実際にＥ−ＰＤＣＣＨ制御情報が送信されるＥ−ＰＤＣＣＨ  ｓｅｔの設定により異なる。以下、条件ごとにＡＲＩによりオフセットさせる値について詳述する。
【００９８】
ステップ（３Ａ）：基地局１００は、Ｅ−ＰＤＣＣＨ制御情報を送信する対象端末２００に対し、Ｅ−ＰＤＣＣＨ  ｓｅｔを１つしか設定していない場合、ＡＲＩにより小さなオフセット値を通知する。このオフセット値はあらかじめ規定されたものであり、例えばＡＲＩが１ビットのとき、ＡＲＩ＝０ならば０、ＡＲＩ＝１ならば＋１、などである。
【００９９】
ステップ（３Ｂ）：基地局１００は、Ｅ−ＰＤＣＣＨ制御情報を送信する対象端末２００に対し、Ｅ−ＰＤＣＣＨ  ｓｅｔを複数設定しているものの、送信するＥ−ＰＤＣＣＨ制御情報が属するＥ−ＰＤＣＣＨ  ｓｅｔに対応するＤｙｎａｍｉｃ  Ａ／Ｎ領域が、当該端末２００に設定されている他のＥ−ＰＤＣＣＨ  ｓｅｔに対応するＤｙｎａｍｉｃ  Ａ／Ｎ領域と重複していない場合、Ｅ−ＰＤＣＣＨ  ｓｅｔを１つしか設定していない場合と同様、ＡＲＩにより小さなオフセット値を通知する。このオフセット値は、例えばＡＲＩが１ビットのとき、ＡＲＩ＝０ならば０、ＡＲＩ＝１ならば＋１、などである。
【０１００】
ステップ（３Ｃ）：基地局１００は、Ｅ−ＰＤＣＣＨ制御情報を送信する対象端末２００に対し、Ｅ−ＰＤＣＣＨ  ｓｅｔを複数設定していて、送信するＥ−ＰＤＣＣＨ制御情報が属するＥ−ＰＤＣＣＨ  ｓｅｔに対応するＤｙｎａｍｉｃ  Ａ／Ｎ領域が、当該端末２００に設定されている他のＥ−ＰＤＣＣＨ  ｓｅｔに対応するＤｙｎａｍｉｃ  Ａ／Ｎ領域と重複している場合、ＡＲＩにより大きなオフセット値を通知する。このオフセット値は、例えばＡＲＩが１ビットのとき、ＡＲＩ＝０ならば０、ＡＲＩ＝１ならば＋１６、などである。
【０１０１】
以上のように、ステップ（３）では、端末２００のＥ−ＰＤＣＣＨ制御情報が送信されたＥ−ＰＤＣＣＨ  ｓｅｔに対応するＤｙｎａｍｉｃ  Ａ／Ｎ領域が、同一端末２００に設定された他のＥ−ＰＤＣＣＨ  ｓｅｔに対応するＤｙｎａｍｉｃ  Ａ／Ｎ領域と重複しているか否かでＡＲＩの値を変える。そして重複していない場合、ＡＲＩのオフセット値を小さな値とし、重複している場合、ＡＲＩのオフセット値を大きな値とする。
【０１０２】
ステップ（４）：基地局１００は、全端末２００の制御情報スケジューリングが終了したら、ＰＤＣＣＨおよびＥ−ＰＤＣＣＨの制御情報とＰＤＳＣＨの下りデータとを下り回線で無線送信する。
【０１０３】
ステップ（５）：端末２００は、受信信号から自端末宛の制御情報を得て、データ信号の抽出および復号を行う。また、端末２００は、制御情報をもとに受信データ信号に対応するＡ／Ｎ信号を送信する符号および周波数のリソースを特定する。特にＥ−ＰＤＣＣＨ端末２００は、以下のようにしてＡ／Ｎリソースを特定する。
【０１０４】
ステップ（６）：まず、Ｅ−ＰＤＣＣＨ端末２００は、自端末に設定された１つまたは複数のＥ−ＰＤＣＣＨ  ｓｅｔに対応する１つまたは複数のＤｙｎａｍｉｃ  Ａ／Ｎ領域が、互いに重複するか否かを調べる。そして、Ｅ−ＰＤＣＣＨ端末２００は、受信したＥ−ＰＤＣＣＨ制御情報が属するＥ−ＰＤＣＣＨ  ｓｅｔに対応するＤｙｎａｍｉｃ  Ａ／Ｎ領域が他のＥ−ＰＤＣＣＨ  ｓｅｔのＤｙｎａｍｉｃ  Ａ／Ｎ領域と重複しているか否かに応じて、ＡＲＩによる動的オフセットの値を読み替える。
【０１０５】
ステップ（６Ａ）：Ｅ−ＰＤＣＣＨ  ｓｅｔが１つしか設定されていないＥ−ＰＤＣＣＨ端末２００は、ＡＲＩによる動的オフセットの値が小さいものとしてＡ／Ｎリソースを決定する。小さいオフセットとは、例えばＡＲＩが１ビットのときＡＲＩ＝０では０、ＡＲＩ＝１では＋１などであり、あらかじめ定められた値である。
【０１０６】
ステップ（６Ｂ）：Ｅ−ＰＤＣＣＨ  ｓｅｔが複数設定されているものの、受信したＥ−ＰＤＣＣＨ制御情報が属するＥ−ＰＤＣＣＨ  ｓｅｔに対応するＤｙｎａｍｉｃ  Ａ／Ｎ領域が、他のＥ−ＰＤＣＣＨ  ｓｅｔに対応するＤｙｎａｍｉｃ  Ａ／Ｎ領域と重複していないＥ−ＰＤＣＣＨ端末２００は、Ｅ−ＰＤＣＣＨ  ｓｅｔが１つしか設定されていないＥ−ＰＤＣＣＨ端末２００と同様、ＡＲＩによる動的オフセットの値が小さいものとしてＡ／Ｎリソースを決定する。小さいオフセットとは、例えばＡＲＩが１ビットのときＡＲＩ＝０では０、ＡＲＩ＝１では＋１などであり、あらかじめ定められた値である。
【０１０７】
ステップ（６Ｃ）：Ｅ−ＰＤＣＣＨ  ｓｅｔが複数設定されていて、受信したＥ−ＰＤＣＣＨ制御情報が属するＥ−ＰＤＣＣＨ  ｓｅｔに対応するＤｙｎａｍｉｃ  Ａ／Ｎ領域が、他のＥ−ＰＤＣＣＨ  ｓｅｔに対応するＤｙｎａｍｉｃ  Ａ／Ｎ領域と重複しているＥ−ＰＤＣＣＨ端末２００は、ＡＲＩによる動的オフセットの値が大きいものとしてＡ／Ｎリソースを決定する。大きいオフセットとは、例えばＡＲＩが１ビットのときＡＲＩ＝０では０、ＡＲＩ＝１では＋１６などであり、あらかじめ定められた値である。
【０１０８】
ステップ（７）：端末２００は、データ信号の判定結果に応じてＡＣＫまたはＮＡＣＫを特定し、上記のように特定したＡ／Ｎリソース（符号および周波数のリソース）を用いてＡ／Ｎ信号を送信する。
【０１０９】
［効果］
以上のように、本実施の形態の基地局１００および端末２００によれば、制御情報が送信されたＥ−ＰＤＣＣＨ  ｓｅｔに対応するＤｙｎａｍｉｃ  Ａ／Ｎ領域が他のＤｙｎａｍｉｃ  Ａ／Ｎ領域と重複するか否かで、ＡＲＩのオフセット値を変える。これにより、端末数またはトラフィックに応じて適切なＡＲＩオフセット値を設定できる。
【０１１０】
例えば端末数が多い場合、複数のＥ−ＰＤＣＣＨ  ｓｅｔに対応するＤｙｎａｍｉｃ  Ａ／Ｎ領域それぞれに含まれるＡ／Ｎ信号の数が多くなる。したがって、Ｄｙｎａｍｉｃ  Ａ／Ｎ領域を重複させる運用を行うと頻繁にＡ／Ｎリソースの衝突が生じてしまうことから、上位レイヤによるＡ／Ｎリソースオフセットを用いて異なるＤｙｎａｍｉｃ  Ａ／Ｎ領域が重複しないよう設定する運用が考えられる。
【０１１１】
このようにＤｙｎａｍｉｃ  Ａ／Ｎ領域が他と重複しない場合に、ＡＲＩのオフセットを大きな値としてしまうと、ＰＵＳＣＨに使用できる上りリソースがより減少してしまうことになる。本実施の形態では、Ｄｙｎａｍｉｃ  Ａ／Ｎ領域の重複がないときにはＡＲＩによるオフセットは小さい値とするため、オフセットを加算したときでも、ＰＵＣＣＨオーバーヘッドの増大、すなわちＰＵＳＣＨに使用できる上りリソースの減少を最小限に抑えることができる。２つのＥ−ＰＤＣＣＨ  ｓｅｔ  （１）、（２）が設定され、Ｄｙｎａｍｉｃ  Ａ／Ｎ領域が重複しないよう運用されている場合の本実施の形態におけるＡＲＩの動的オフセットを用いる一例を図１４Ａに示す。
【０１１２】
また、例えば端末数が少ない場合、複数のＥ−ＰＤＣＣＨ  ｓｅｔに対応するＤｙｎａｍｉｃ  Ａ／Ｎ領域それぞれに含まれるＡ／Ｎ信号の数が少なくなる。したがって、Ｄｙｎａｍｉｃ  Ａ／Ｎ領域を重複させない運用を行うとＡ／Ｎリソースの利用効率が落ちることから、上位レイヤによるＡ／Ｎリソースオフセットを用いて異なるＤｙｎａｍｉｃ  Ａ／Ｎ領域が重複するよう設定する運用が考えられる。
【０１１３】
このようにＤｙｎａｍｉｃ  Ａ／Ｎ領域が他と重複する場合に、ＡＲＩで小さなオフセットしか与えられないとすると、Ｄｙｎａｍｉｃ  Ａ／Ｎ領域の中でＡ／Ｎリソースを選択しなければならず、Ａ／Ｎリソースの衝突を回避できない可能性がある。本実施の形態では、Ｄｙｎａｍｉｃ  Ａ／Ｎ領域の重複があるときにはＡＲＩによるオフセットは大きい値とするため、ＡＲＩを用いてＡ／Ｎリソースの衝突を回避できる確率を高めることができる。２つのＥ−ＰＤＣＣＨ  ｓｅｔ  （１）、（２）が設定され、Ｄｙｎａｍｉｃ  Ａ／Ｎ領域が重複するよう運用されている場合の本実施の形態におけるＡＲＩの動的オフセットを用いる一例を図１４Ｂに示す。
【０１１４】
また、本実施の形態によれば、Ｅ−ＰＤＣＣＨ  ｓｅｔの運用状況およびパラメータに応じて適切なＡＲＩのオフセットを切り替えるため、例えばＲＲＣなど上位レイヤの通知によりＡＲＩオフセットの値を変更する方法と比べて、追加のシグナリングを必要としない。これにより下りリンクでのオーバーヘッドを増加させずに適切なオフセットをＡＲＩで選択することができる。
【０１１５】
なお、３つ以上のＥ−ＰＤＣＣＨ  ｓｅｔに対応するＤｙｎａｍｉｃ  Ａ／Ｎ領域が同時に重複している場合には、本実施の形態と同じルールによりＡＲＩの動的オフセットの値を決定すればよい。
【０１１６】
一方、３つ以上のＥ−ＰＤＣＣＨ  ｓｅｔに対応するＤｙｎａｍｉｃ  Ａ／Ｎ領域が同時に重複している場合に、Ｅ−ＰＤＣＣＨ制御情報が送信されたＥ−ＰＤＣＣＨ  ｓｅｔに対応するＤｙｎａｍｉｃ  Ａ／Ｎ領域が、特定のＥ−ＰＤＣＣＨ  ｓｅｔに対応するＤｙｎａｍｉｃ  Ａ／Ｎ領域と重複している場合にのみ、ＡＲＩの動的オフセット値を大きな値に設定してもよい。言い換えれば、特定のＥ−ＰＤＣＣＨ  ｓｅｔに対応するＤｙｎａｍｉｃ  Ａ／Ｎ領域と重複しないかぎり、Ｅ−ＰＤＣＣＨ制御情報が送信されたＥ−ＰＤＣＣＨ  ｓｅｔに対応するＤｙｎａｍｉｃ  Ａ／Ｎ領域が重複していないものとしてＡＲＩの動的オフセット値を設定してもよい。
【０１１７】
このようにすることで、特定のＤｙｎａｍｉｃ  Ａ／Ｎ領域が重複しない限りＡＲＩの動的オフセット値は小さく設定できるので、不要なＰＵＣＣＨオーバーヘッドの増加を抑えることができる。
【０１１８】
（バリエーション１）
Ｅ−ＰＤＣＣＨ  ｓｅｔが複数設定されていて、Ｅ−ＰＤＣＣＨ制御情報が属するＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複している場合、ＡＲＩによる動的オフセットの値を、受信したＥ−ＰＤＣＣＨ制御情報が属するＥ−ＰＤＣＣＨ  ｓｅｔに対応するＤｙｎａｍｉｃ  Ａ／Ｎ領域のＡ／Ｎリソース総数の関数、例えばＤｙｎａｍｉｃ  Ａ／Ｎ領域に含まれるＡ／Ｎリソースの総数と同一、またはＤｙｎａｍｉｃ  Ａ／Ｎ領域に含まれるＡ／Ｎリソース総数に定数を加えたものになるように定める。ここで、Ａ／Ｎリソースの総数は、当該Ｅ−ＰＤＣＣＨ制御情報が属するＥ−ＰＤＣＣＨ  ｓｅｔに含まれるＰＲＢの数とＰＲＢあたりのｅＣＣＥの個数とにより一意に定まる値である。
【０１１９】
なお、バリエーション１では、Ｅ−ＰＤＣＣＨ  ｓｅｔが１つのみしか設定されていない場合、あるいはＥ−ＰＤＣＣＨ  ｓｅｔは複数設定されているが、Ｅ−ＰＤＣＣＨ制御情報が送受信されるＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複していない場合には、本実施の形態と同様にＡＲＩによる動的オフセットは小さい値、例えばＡＲＩが１ビットの場合、ＡＲＩ＝０ならば０、ＡＲＩ＝１ならば＋１などとする。
【０１２０】
このようにすることで、Ｅ−ＰＤＣＣＨ  ｓｅｔの設定に応じてＡＲＩによる動的オフセットの値を適切に設定することができる。Ｅ−ＰＤＣＣＨ  ｓｅｔに含まれるＰＲＢの個数は上位レイヤにより設定することができ、なおかつＥ−ＰＤＣＣＨ  ｓｅｔによって異なる設定にできる場合、対応するＤｙｎａｍｉｃ  Ａ／Ｎ領域の大きさも、Ｅ−ＰＤＣＣＨ  ｓｅｔごとに異なる可能性がある。上記実施の形態のように、重複した場合のＡＲＩによる動的オフセットの値が固定の場合、さまざまなＤｙｎａｍｉｃ  Ａ／Ｎ領域の大きさに対応できない。例えばＤｙｎａｍｉｃ  Ａ／Ｎ領域の大きさがＡＲＩによる動的オフセットの値よりも十分大きい場合、オフセットを加えたときに別の端末２００のＡ／Ｎリソースと衝突する可能性がある。反対に、Ｄｙｎａｍｉｃ  Ａ／Ｎ領域の大きさがＡＲＩによる動的オフセットの値よりも十分小さい場合、オフセットを加えることでオーバーヘッドの増大が大きい。したがってＤｙｎａｍｉｃ  Ａ／Ｎ領域の大きさによりＡＲＩの動的オフセット値を変えることで、Ａ／Ｎリソース衝突確率を下げつつＰＵＳＣＨのリソース減少量を抑えることができる。図１５に、２つの異なるＰＲＢ数が設定されたＥ−ＰＤＣＣＨ  ｓｅｔ  （１）、（２）が運用されており、両者のＤｙｎａｍｉｃ  Ａ／Ｎ領域が重複していて、バリエーション１の方法でＡＲＩによりＡ／Ｎリソースの衝突を回避する場合の例を示す。
【０１２１】
（バリエーション２）
Ｅ−ＰＤＣＣＨ  ｓｅｔが複数設定されていて、Ｅ−ＰＤＣＣＨ制御情報が属するＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複している場合、受信したＥ−ＰＤＣＣＨ制御情報が属するＥ−ＰＤＣＣＨ  ｓｅｔに対応するＤｙｎａｍｉｃ  Ａ／Ｎ領域と、設定された他のＤｙｎａｍｉｃ  Ａ／Ｎ領域とが重複しているリソースの量に応じてＡＲＩの動的オフセット値を変える。
【０１２２】
このようにすることで、Ｄｙｎａｍｉｃ  Ａ／Ｎ領域が部分的に重複している場合に、適切な動的オフセットを設定することができる。例えば、２つのＥ−ＰＤＣＣＨ  ｓｅｔ  （１）、（２）が運用されており、両者のＤｙｎａｍｉｃ  Ａ／Ｎ領域が部分的に重複している場合にＡＲＩで大きなオフセットを行うと、ＰＵＣＣＨのオーバーヘッドが大きくなってしまう。したがって、重複する部分の大きさに応じてオフセットの値を変えることで、過剰なオーバーヘッド増大を引き起こすことなく、衝突回避を実現できる。
【０１２３】
具体的なオフセットの値としては、重複するＡ／Ｎリソースの数と同数またはそれに定数を加えたものとする方法がある。図１６Ａに、２つのＥ−ＰＤＣＣＨ  ｓｅｔ  （１）、（２）が設定され、それらに対応するＤｙｎａｍｉｃ  Ａ／Ｎ領域が部分的に重なっているときの例を示す。この例では、Ｅ−ＰＤＣＣＨ  ｓｅｔ  （２）に対応するＤｙｎａｍｉｃ  Ａ／Ｎ領域の全てのＡ／ＮリソースがＡＲＩによりオフセットした状態が、ＰＵＣＣＨオーバーヘッドが最大となった状態になる。バリエーション２の方法では、図１６Ｂのように、ＰＵＣＣＨのオーバーヘッドが最大となった状態は、２つのＥ−ＰＤＣＣＨ  ｓｅｔ  （１）、（２）に対応するＤｙｎａｍｉｃ  Ａ／Ｎ領域を重複させず、隣接する上りリソースに配置した時と同じになる。これは、ＡＲＩのオフセット値がＤｙｎａｍｉｃ  Ａ／Ｎ領域の総Ａ／Ｎリソース数に等しいとしているバリエーション１よりも小さいオーバーヘッドである。
【０１２４】
以上のように、バリエーション２では、複数のＤｙｎａｍｉｃ  Ａ／Ｎ領域が部分的に重複する運用において、ＡＲＩによるオフセットをオーバーヘッドの増加を抑える適切な値とすることができる。
【０１２５】
なお、バリエーション２において、Ｄｙｎａｍｉｃ  Ａ／Ｎ領域間の位置関係に応じて、ＡＲＩによるオフセット値を異なるものとしても良い。すなわち、Ｄｙｎａｍｉｃ  Ａ／Ｎ領域の末尾のＡ／Ｎリソースが、重複するＤｙｎａｍｉｃ  Ａ／Ｎ領域の末尾のＡ／Ｎリソースよりもインデックスが小さいＤｙｎａｍｉｃ  Ａ／Ｎ領域（図１６Ａでは、Ｅ−ＰＤＣＣＨ  ｓｅｔ  （１）に対応するＤｙｎａｍｉｃ  Ａ／Ｎ）では、ＡＲＩの値を小さな値、すなわちＡＲＩが１ビットの場合には、ＡＲＩ＝０で０、ＡＲＩ＝１で＋１、などとしても良い。
【０１２６】
このようにすることで、部分的に重複する複数のＤｙｎａｍｉｃ  Ａ／Ｎ領域のうち、末尾のＡ／Ｎリソースインデックスが小さいＤｙｎａｍｉｃ  Ａ／Ｎ領域に対応するＥ−ＰＤＣＣＨ  ｓｅｔを主にマルチユーザＭＩＭＯ用として用いる、といった運用が可能となる。すなわち、Ｅ−ＰＤＣＣＨ  ｓｅｔごとにＡＲＩのオフセット値を異なる値に出来るため、Ｅ−ＰＤＣＣＨ  ｓｅｔごとに異なる運用を行うことができる。
【０１２７】
（バリエーション３）
Ｅ−ＰＤＣＣＨ  ｓｅｔが複数設定されていて、Ｅ−ＰＤＣＣＨ制御情報が属するＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複している場合、受信したＥ−ＰＤＣＣＨ制御情報が属するＥ−ＰＤＣＣＨ  ｓｅｔに対応するＤｙｎａｍｉｃ  Ａ／Ｎ領域に設定されたＡ／Ｎリソースオフセットと、それに重複する他のＤｙｎａｍｉｃ  Ａ／Ｎ領域用に設定されたＡ／Ｎリソースオフセットとの差分に応じて、ＡＲＩの動的オフセット値を変える。
【０１２８】
バリエーション２では、Ｄｙｎａｍｉｃ  Ａ／Ｎ領域が部分的に重複している場合に、適切な動的オフセットを設定することができるものの、互いに重複するＤｙｎａｍｉｃ  Ａ／Ｎリソースの量を計算しなければならず、端末２００に演算負荷がかかる。一方、バリエーション３のようにＡ／Ｎリソースオフセットの差分のみからＡＲＩの動的オフセット値を求めることで、重複リソース量を求める演算が不要になるので、より簡易な構成の端末２００で同等の効果を得ることができる。特に重複するＤｙｎａｍｉｃ  Ａ／Ｎ領域の大きさが同じ場合には、バリエーション３の効果はバリエーション２と同じになる。
【０１２９】
（バリエーション４）
Ｅ−ＰＤＣＣＨ  ｓｅｔが複数設定されたとき、特定の下りＰＲＢが、複数のＥ−ＰＤＣＣＨ  ｓｅｔに同時に属する場合がある。図１７に例を示す。図１７では、２つのＥ−ＰＤＣＣＨ  ｓｅｔ  （１）、（２）が設定されていて、いずれにも属するＰＲＢでＥ−ＰＤＣＣＨ制御情報が送受信されている。このような場合、端末２００は、受信したＥ−ＰＤＣＣＨ制御情報がいずれのＥ−ＰＤＣＣＨ  ｓｅｔに属するか判別できない。これでは、Ａ／Ｎリソースオフセットがいずれであるかわからないため、端末２００は、Ａ／Ｎ信号を送信するＡ／Ｎリソースを決定することができない。さらに、端末２００は、ＡＲＩによる動的オフセットの値を判別することができない。
【０１３０】
そこで、バリエーション４では、端末２００は、複数のＥ−ＰＤＣＣＨ  ｓｅｔに同時に属するＰＲＢからＥ−ＰＤＣＣＨ制御情報を受信し、いずれのＥ−ＰＤＣＣＨ  ｓｅｔに属するか判別できない場合、それら複数のＥ−ＰＤＣＣＨ  ｓｅｔに対応するＤｙｎａｍｉｃ  Ａ／Ｎ領域のＡ／Ｎリソースを求め、最もＰＵＳＣＨリソース領域から遠いＤｙｎａｍｉｃ  Ａ／Ｎ領域に含まれるリソースとしてＡ／Ｎリソースを決定する。また、ＡＲＩの動的オフセットの値は、当該Ｄｙｎａｍｉｃ  Ａ／Ｎ領域が他のＤｙｎａｍｉｃ  Ａ／Ｎ領域と重複するかどうかで決定する。
【０１３１】
このようにすることで、いずれのＥ−ＰＤＣＣＨ  ｓｅｔに属するか判別できないＰＲＢで送信されたＥ−ＰＤＣＣＨ制御情報に対応するＡ／Ｎ信号を、オーバーヘッド増加の影響が小さいＡ／Ｎリソースで送信し、ＰＵＳＣＨリソースの減少を抑えることができる。
【０１３２】
[変形例１]
Ｅ−ＰＤＣＣＨ  ｓｅｔが複数設定されているとき、それぞれのＥ−ＰＤＣＣＨ  ｓｅｔのＰＲＢ数が異なる場合、それぞれに対応するＤｙｎａｍｉｃ  Ａ／Ｎ領域の大きさが異なる。このような場合に、制御情報が属するＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複しているとき、重複相手となるＤｙｎａｍｉｃ  Ａ／Ｎ領域の大きさに応じて、ＡＲＩの動的オフセット値を変える。特に、Ｅ−ＰＤＣＣＨ制御情報が含まれるＥ−ＰＤＣＣＨ  ｓｅｔに対応するＤｙｎａｍｉｃ  Ａ／Ｎ領域にとって、重複相手のＤｙｎａｍｉｃ  Ａ／Ｎ領域が大きいほど、ＡＲＩの動的オフセットの値を小さくする。
【０１３３】
Ｅ−ＰＤＣＣＨに収容される端末数がｓｅｔによらず大きく変わらない運用の場合、Ｄｙｎａｍｉｃ  Ａ／Ｎ領域が大きいほど、収容されるＡ／Ｎリソースの密度は小さくなる。換言すれば、Ｄｙｎａｍｉｃ  Ａ／Ｎ領域が重複している場合に、Ａ／Ｎリソースの衝突が起こる確率が小さくなる。したがって、重複相手のＤｙｎａｍｉｃ  Ａ／Ｎ領域が相対的に大きいときにＡＲＩの動的オフセットの値を小さくしても、Ａ／Ｎリソースの衝突確率は増加しない。したがって、ＡＲＩの動的オフセットの値を小さくし、ＰＵＣＣＨリソースのオーバーヘッド増加を回避することができる。
【０１３４】
なお、Ｅ−ＰＤＣＣＨ制御情報が含まれるＥ−ＰＤＣＣＨ  ｓｅｔに対応するＤｙｎａｍｉｃ  Ａ／Ｎ領域にとって、重複相手のＤｙｎａｍｉｃ  Ａ／Ｎ領域が大きいほど、ＡＲＩの動的オフセットの値を大きくしてもよい。
【０１３５】
Ｄｙｎａｍｉｃ  Ａ／Ｎ領域が大きいほど、収容可能なＡ／Ｎリソースの数が多くなる。したがって、Ｅ−ＰＤＣＣＨ  ｓｅｔに含まれるＰＲＢの数が増えるほど、Ｄｙｎａｍｉｃ  Ａ／Ｎ領域が重複している場合に、Ａ／Ｎリソースの衝突が起こる確率が小さくならない。したがって、重複相手のＤｙｎａｍｉｃ  Ａ／Ｎ領域が相対的に大きいときにＡＲＩの動的オフセットの値を大きくすることで、Ａ／Ｎリソースの衝突を確実に回避できる。
【０１３６】
[変形例２]
通信システムでは、ＰＤＣＣＨとＥ−ＰＤＣＣＨの両方が同時運用される可能性がある。
【０１３７】
このような場合には、ＰＤＣＣＨに対応するＤｙｎａｍｉｃ  Ａ／Ｎと、Ｅ−ＰＤＣＣＨに対応するＤｙｎａｍｉｃ  Ａ／Ｎとが混在することになる。前述のように、ＰＤＣＣＨに対応するＤｙｎａｍｉｃ  Ａ／ＮのＡ／Ｎリソースは式（１）により決定される。
【０１３８】
また、ＰＤＣＣＨ、Ｅ−ＰＤＣＣＨの各Ａ／Ｎリソースオフセットおよび各Ｄｙｎａｍｉｃ  Ａ／Ｎ領域に含まれるＡ／Ｎリソース総量によっては、ＰＤＣＣＨのＤｙｎａｍｉｃ  Ａ／Ｎ領域と、Ｅ−ＰＤＣＣＨのＤｙｎａｍｉｃ  Ａ／Ｎ領域とが重複することも考えられる。
【０１３９】
そこで、Ｅ−ＰＤＣＣＨ端末２００は、下りサブフレームに含まれる、ＰＤＣＣＨのサイズを指示する制御情報ＰＣＦＩＣＨを受信してＰＤＣＣＨに対応するＤｙｎａｍｉｃ  Ａ／Ｎ領域を割り出し、Ｅ−ＰＤＣＣＨ制御情報が含まれるＥ−ＰＤＣＣＨ  ｓｅｔに対応するＤｙｎａｍｉｃ  Ａ／Ｎ領域とＰＤＣＣＨに対応するＤｙｎａｍｉｃ  Ａ／Ｎ領域とが重複するかどうか調べ、その結果に応じてＡＲＩのオフセット値を異なるものにすることもできる。
【０１４０】
Ｅ−ＰＤＣＣＨ制御情報が含まれるＥ−ＰＤＣＣＨ  ｓｅｔに対応するＤｙｎａｍｉｃ  Ａ／Ｎ領域とＰＤＣＣＨに対応するＤｙｎａｍｉｃ  Ａ／Ｎ領域とが重複する場合、ＡＲＩのオフセット値を大きな値に設定することで、Ａ／Ｎリソースの衝突を確実に回避できる。一方、Ｅ−ＰＤＣＣＨ制御情報が含まれるＥ−ＰＤＣＣＨ  ｓｅｔに対応するＤｙｎａｍｉｃ  Ａ／Ｎ領域とＰＤＣＣＨに対応するＤｙｎａｍｉｃ  Ａ／Ｎ領域とが重複しない場合、ＡＲＩのオフセット値を小さな値に設定することで、ＰＵＣＣＨのオーバーヘッド増大を抑えることができる。すなわち、Ｅ−ＰＤＣＣＨ制御情報が含まれるＥ−ＰＤＣＣＨ  ｓｅｔに対応するＤｙｎａｍｉｃ  Ａ／Ｎ領域とＰＤＣＣＨに対応するＤｙｎａｍｉｃ  Ａ／Ｎ領域との間で、上記実施の形態と同じ効果を得ることができる。
【０１４１】
[変形例３]
上記実施の形態では動的オフセットの例として０および正の値（＋１、＋１６など）を挙げたが、動的オフセットの値は負の値（−１、−１６など）であっても良い。
【０１４２】
番号が大きなＡ／Ｎリソースを用いるほど、オーバーヘッドが大きくなり、ＰＵＳＣＨのリソースを減少させる。したがってＡＲＩでＡ／Ｎリソース番号に正のオフセットを与えるほど、ＰＵＣＣＨのオーバーヘッドが大きくなってしまう。そこで動的オフセットに負の値を用いることで、ＰＵＳＣＨのリソースを減少させる程度を減らすことができる。
【０１４３】
[変形例４]
上記実施の形態では、Ｅ−ＰＤＣＣＨ制御情報が送信されたＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複しない場合には、Ａ／Ｎリソース番号にＡＲＩにより０または小さな値のオフセットを加算するとした。しかし、この場合に、動的オフセットを加算する代わりに、オフセット無しとして定まるＡ／Ｎリソースで決定される周波数リソースブロック（ＰＲＢ）、１次拡散系列、２次拡散系列（ブロックワイズ拡散系列）のうち、２次拡散系列（ブロックワイズ拡散系列）の符号を変える、としても良い。すなわち、例えばＡＲＩが１ビットの場合、ＡＲＩ＝０ならばオフセット無しで定まるＡ／Ｎリソースをそのまま用い、ＡＲＩ＝１ならばオフセット無しで定まるＡ／Ｎリソースの２次拡散系列を、それと直交する拡散系列で置き換える。
【０１４４】
Ａ／Ｎリソースのオフセットが小さい場合、複数端末のＡ／Ｎリソースは、同一ＰＲＢにおいて一次拡散系列で多重される可能性が高い。しかし、１次拡散系列では巡回シフトによる多重が用いられるため、多重端末間で遅延スプレッド差が小さい場合には問題ないが、遅延スプレッド差が大きい場合にはＡ／Ｎ信号間で干渉が残留する。
【０１４５】
一方、２次拡散符号はブロックワイズ拡散系列であるため、遅延スプレッド差が大きい端末間も、逆拡散時に干渉の影響を抑えて分離することができる。
【０１４６】
したがって、変形例４の方法を用いることにより、Ｄｙｎａｍｉｃ  Ａ／Ｎ領域が重複していない場合に、遅延スプレッド差が大きい端末２００をマルチユーザＭＩＭＯする運用において、より干渉の少ない２次拡散系列による多重を行い、より高品質にＡ／Ｎ信号を多重することができる。
【０１４７】
また、２次拡散系列を置き換えるだけならばＰＲＢが変わる事はないので、ＰＵＣＣＨオーバーヘッドの増加も生じない。したがって、ＰＵＳＣＨのリソースを大きく取ることができ、上りスループットの劣化を防ぐことができる。
【０１４８】
[変形例５]
上記実施の形態では、複数のＥ−ＰＤＣＣＨ  ｓｅｔが設定された場合に、その各Ｄｙｎａｍｉｃ  Ａ／Ｎ領域の重複関係に応じてＡＲＩの動的オフセットの値を変えるとした。しかし、他のＤｙｎａｍｉｃ  Ａ／Ｎ領域の重複関係に関わらず、Ｅ−ＰＤＣＣＨ制御情報が送受信されるＥ−ＰＤＣＣＨ  ｓｅｔに対応するＤｙｎａｍｉｃ  Ａ／Ｎ領域のＡ／Ｎリソースオフセットの絶対値に応じてＡＲＩオフセットの値を変えても良い。
【０１４９】
Ａ／Ｎリソースオフセットの値が大きいほど、ＰＵＳＣＨのリソースを減少させる確率が高くなる。反対に、Ａ／Ｎリソースオフセットの値が小さいほど、ＰＤＣＣＨのＤｙｎａｍｉｃ  Ａ／Ｎ領域または他のＥ−ＰＤＣＣＨ  ｓｅｔのＤｙｎａｍｉｃ  Ａ／Ｎ領域と重複する可能性が高くなるため、Ａ／Ｎリソースの衝突確率が高くなる。したがって、Ａ／Ｎリソースオフセットの値が大きいほど、ＡＲＩの動的オフセットの値を小さくすることで、Ａ／Ｎリソースの衝突を回避したときのＰＵＳＣＨリソース減少量を小さく抑えられる。また、Ａ／Ｎリソースオフセットの値が小さいほど、ＡＲＩの動的オフセットの値を大きくすることで、Ａ／Ｎリソース衝突回避確率を上げることができる。
【０１５０】
ここまで、ＡＲIが１ビットの場合の例を示してきたが、ＡＲＩは２ビット以上であっても良い。例えばＡＲＩが２ビットの場合、４値のうち１値を０（オフセット無し）に対応させ、別の１値を前述の動的オフセット加算に対応させることで、ここまで述べた実施の形態、そのバリエーションあるいは変形例を実現することができる。残りの２値は固定のオフセットを指示する値であっても良いし、ここまで述べた実施の形態、そのバリエーションあるいは変形例で示した動的オフセットの値の関数で得られるオフセット値を指示する値であっても良い。
【０１５１】
このようにＡＲＩのビット数を増やすことで、前述の効果を得つつ、別の動的オフセット候補を持つことができるので、さらにＡ／Ｎリソース衝突確率を下げることができる。
【０１５２】
また、さらに、Ｅ−ＰＤＣＣＨ制御情報が送受信されるＥ−ＰＤＣＣＨ  ｓｅｔがＤｉｓｔｒｉｂｕｔｅｄモードかＬｏｃａｌｉｚｅｄモードかに応じて、ＡＲＩの動的オフセットの値を変えても良い。換言すれば、Ｅ−ＰＤＣＣＨ制御情報が送受信されるＥ−ＰＤＣＣＨ  ｓｅｔに対応するＤｙｎａｍｉｃ  Ａ／Ｎ領域が、設定された他のＥ−ＰＤＣＣＨ  ｓｅｔに対応するＤｙｎａｍｉｃ  Ａ／Ｎ領域と重複するか否か、そしてＥ−ＰＤＣＣＨ制御情報が送受信されるＥ−ＰＤＣＣＨ  ｓｅｔがＤｉｓｔｒｉｂｕｔｅｄモードかＬｏｃａｌｉｚｅｄモードか、という４つの条件に応じて、ＡＲＩによる動的オフセットの値を変えても良い。ここで、Ｄｉｓｔｒｉｂｕｔｅｄモードとは、Ｅ−ＰＤＣＣＨ制御情報を構成する各拡張制御チャネル要素（ｅＣＣＥ）がさらに小さな要素ブロックに分割され、Ｅ−ＰＤＣＣＨ  ｓｅｔを構成する１つまたは複数のＰＲＢに拡散されて送信されるモードである。Ｌｏｃａｌｉｚｅｄモードとは、各ｅＣＣＥがＥ−ＰＤＣＣＨ  ｓｅｔを構成する単一ＰＲＢの中に閉じて配置される（すなわち拡散されない）モードである。Ｄｉｓｔｒｉｂｕｔｅｄモードは、チャネル状態または受信品質によらず様々な端末２００が受信できるＥ−ＰＤＣＣＨとして用いられる可能性が高く、Ｌｏｃａｌｉｚｅｄモードは、特定の周波数帯域においてチャネル状態または受信品質が良い端末２００に用いられる可能性が高い。
【０１５３】
例えば、Ｅ−ＰＤＣＣＨ制御情報がＤｉｓｔｒｉｂｕｔｅｄモードのＥ−ＰＤＣＣＨ  ｓｅｔに属するとき、ＡＲＩの動的オフセットの値をより大きくし、ＬｏｃａｌｉｚｅｄモードのＥ−ＰＤＣＣＨ  ｓｅｔに属するとき、ＡＲＩの動的オフセットの値をより小さくする。
【０１５４】
このようにすることで、Ｅ−ＰＤＣＣＨ  ｓｅｔの送信モードに応じて適切なＡＲＩ動的オフセットを設定することが可能となる。すなわち、Ｄｉｓｔｒｉｂｕｔｅｄモードはより状態の悪い端末２００が受信できることを想定しており、遅延スプレッドの大きな端末を収容できなければならない。したがって動的オフセットをより大きな値に設定することで、Ａ／Ｎリソース間の距離を離し、より大きな遅延スプレッドでも互いに干渉しないように配置できる。一方、Ｌｏｃａｌｉｚｅｄモードはチャネル状態または受信品質の良い端末２００のみが受信することを想定しており、遅延スプレッドの大きな端末は存在しない可能性が高い。したがって動的オフセットをより小さな値に設定することで、Ａ／Ｎリソース間の距離を詰め、より多くの端末のＡ／Ｎ信号を効率よく収容できるように配置できる。
【０１５５】
また、さらに、上記ではＥ−ＰＤＣＣＨ制御情報が送受信されるＥ−ＰＤＣＣＨ  ｓｅｔが互いに独立であるとして述べたが、Ｅ−ＰＤＣＣＨ  ｓｅｔは包含関係にある可能性もある。すなわち、２つのＥ−ＰＤＣＣＨ  ｓｅｔ（１）、（２）が設定された場合、Ｅ−ＰＤＣＣＨ  ｓｅｔ  （１）に含まれるＰＲＢは、すべてＥ−ＰＤＣＣＨ  ｓｅｔ  （２）に含まれる（Ｅ−ＰＤＣＣＨ  ｓｅｔ  （１）は、Ｅ−ＰＤＣＣＨ  ｓｅｔ  （２）のサブセットである）可能性もある。
【０１５６】
このような場合にはいずれのＰＲＢもＥ−ＰＤＣＣＨ  ｓｅｔ  （２）に属することになるが、ＡＲＩの動的オフセット値は、２つのＥ−ＰＤＣＣＨ  ｓｅｔ両方に属するＰＲＢでＥ−ＰＤＣＣＨ制御情報が送信されたらＥ−ＰＤＣＣＨ  ｓｅｔ  （１）に対応する動的オフセット値とし、Ｅ−ＰＤＣＣＨ  ｓｅｔ  （２）のみに属するＰＲＢでＥ−ＰＤＣＣＨが送信されたらＥ−ＰＤＣＣＨ  ｓｅｔ  （２）に対応する動的オフセット値とすれば良い。これにより、使用するＰＲＢに応じて異なるＡＲＩオフセット値を取ることができるため、Ａ／Ｎリソース制御の自由度を高めることができる。
【０１５７】
以上、本発明の実施の形態について説明した。
【０１５８】
また、上記実施の形態では、本発明をハードウェアで構成する場合を例にとって説明したが、本発明はハードウェアとの連携においてソフトウェアで実現することも可能である。
【０１５９】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１６２】
＜発明の一態様の概要＞
続いて、本開示に係る一態様の概要を記載する。
【０１６３】
本開示の第１態様は、ＡＣＫ／ＮＡＣＫ指標（ＡＲＩ：ACK/NACK Resource Indicator）を含んだ制御信号を、１つまたは複数のＥ−ＰＤＣＣＨ  ｓｅｔの中からいずれか１つのＥ−ＰＤＣＣＨ  ｓｅｔを介して受信する受信部と、前記ＡＲＩが指示するオフセット値を、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しているか否かに応じて決定し、前記ＡＲＩの値に応じてＡＣＫ／ＮＡＣＫリソースにオフセットを与える制御部と、決定された前記ＡＣＫ／ＮＡＣＫリソースを用いてＡＣＫ／ＮＡＣＫ信号を送信する送信部と、を具備する無線通信端末である。
【０１６４】
第１態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が、設定されてはいるものの他のＥ−ＰＤＣＣＨ  ｓｅｔに対応するＤｙｎａｍｉｃ  Ａ／Ｎ領域と重複する場合、重複しない場合のそれぞれで、ＡＲＩによる動的オフセット値を切り替えることができる。そしてこの切り替えにより、複数のＤｙｎａｍｉｃ  Ａ／Ｎ領域同士が重複する場合にはＡＲＩで指示するオフセット値を小さくしてさらなるＰＵＣＣＨオーバーヘッド増大を抑え、重複しない場合にはＡＲＩで指示するオフセット値を大きくしてＡ／Ｎリソースの衝突を回避することができる。よって、Ｄｙｎａｍｉｃ  Ａ／Ｎ領域の運用状況に応じて、Ａ／Ｎリソースの衝突回避およびＰＵＣＣＨオーバーヘッド抑圧に寄与できる。また、これらを追加のシグナリングなしで実現できる。
【０１６５】
本開示の第２態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応する動的ＡＣＫ／ＮＡＣＫリソースが取り得るリソース領域と同じまたはそれに定数を加えたものとして決定し、それによりＡＣＫ／ＮＡＣＫ信号を送信するＡＣＫ／ＮＡＣＫリソースを決定する制御部を具備する、第１態様の無線通信端末である。
【０１６６】
第２態様によれば、Ｅ−ＰＤＣＣＨ  ｓｅｔに含まれるＰＲＢの個数に応じて異なり得るＤｙｎａｍｉｃ  Ａ／Ｎ領域の大きさに応じて、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０１６７】
本開示の第３態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応する動的ＡＣＫ／ＮＡＣＫリソースと他のＥ−ＰＤＣＣＨ  ｓｅｔに対応する動的ＡＣＫ／ＮＡＣＫリソースが取り得るリソース領域とで重複しているリソースの数により決定し、それによりＡＣＫ／ＮＡＣＫ信号を送信するＡＣＫ／ＮＡＣＫリソースを決定する制御部を具備する、第１態様の無線通信端末である。
【０１６８】
第３態様によれば、Ｅ−ＰＤＣＣＨ制御情報がＤｙｎａｍｉｃ  Ａ／Ｎ領域が部分的に重複する場合に、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０１６９】
本開示の第４態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応して上位レイヤから通知されるＡＣＫ／ＮＡＣＫリソースオフセットの値と他のＥ−ＰＤＣＣＨ  ｓｅｔに対応して上位レイヤから通知されるＡＣＫ／ＮＡＣＫリソースオフセットの値との差分に基づき決定し、それによりＡＣＫ／ＮＡＣＫ信号を送信するＡＣＫ／ＮＡＣＫリソースを決定する制御部を具備する、第１態様の無線通信端末である。
【０１７０】
第４態様によれば、Ｅ−ＰＤＣＣＨ制御情報がＤｙｎａｍｉｃ  Ａ／Ｎ領域が部分的に重複する場合のＡＲＩによる適切な動的オフセット値を、少ない演算処理にて導くことができる。また、これを追加のシグナリングなしで実現できる。
【０１７１】
本開示の第５態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しており、なおかつ重複する前記リソース領域の大きさが違う場合に、前記ＡＲＩが指示するオフセット値を、重複している前記リソース領域の大きさに合わせて決定し、それによりＡＣＫ／ＮＡＣＫ信号を送信するＡＣＫ／ＮＡＣＫリソースを決定する制御部を具備する、第１態様の無線通信端末である。
【０１７２】
第５態様によれば、複数のＥ−ＰＤＣＣＨ  ｓｅｔに対応するＤｙｎａｍｉｃ  Ａ／Ｎ領域の大きさが異なる場合であっても、確実に衝突を回避できるオフセットを設定できる。また、これを追加のシグナリングなしで実現できる。
【０１７３】
本開示の第６態様は、前記制御信号を受信したＥ−ＰＤＣＣＨ  ｓｅｔに対応する動的ＡＣＫ／ＮＡＣＫリソースが取り得るリソース領域とＰＤＣＣＨに対応する動的ＡＣＫ／ＮＡＣＫリソースが取り得るリソース領域とが重複している場合に、前記ＡＲＩが指示するオフセット値を、前記ＰＤＣＣＨに対応する動的ＡＣＫ／ＮＡＣＫリソースが取り得る領域の大きさに合わせて決定し、それによりＡＣＫ／ＮＡＣＫ信号を送信するＡＣＫ／ＮＡＣＫリソースを決定する制御部を具備する、第１態様の無線通信端末である。
【０１７４】
第６態様によれば、Ｅ−ＰＤＣＣＨに対応するＤｙｎａｍｉｃ  Ａ／Ｎ領域とＰＤＣＣＨに対応するＤｙｎａｍｉｃ  Ａ／Ｎ領域とを重複して運用する場合でも、ＡＲＩにより適切なオフセットを与えて衝突を回避することができる。また、これを追加のシグナリングなしで実現できる。
【０１７５】
本開示の第７態様は、前記ＡＲＩが指示するオフセット値を負の値とする、第１態様の無線通信端末である。
【０１７６】
第７態様によれば、ＡＲＩにより指示したオフセットがＰＵＳＣＨのリソースを減少させないため、オーバーヘッドを増加させずにＡ／Ｎリソースの衝突を回避することができる。
【０１７７】
本開示の第８態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔまたはＰＤＣＣＨに対応する動的ＡＣＫ／ＮＡＣＫリソースが取り得るリソース領域とが重複していない場合に、前記ＡＲＩの値に応じて、前記ＡＲＩによるオフセットなしで定まる動的ＡＣＫ／ＮＡＣＫのＡＣＫ／ＮＡＣＫリソースに対応する２次拡散系列（ブロックワイズ拡散系列）を、前記２次拡散系列と直交する直交符号への置き換え可否を決定する、第１態様の無線通信端末である。
【０１７８】
第８態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が他のＤｙｎａｍｉｃ  Ａ／Ｎ領域と重複していない場合に、ＡＲＩで２次拡散系列の直交符号を変えることができる。これにより、遅延スプレッド差が大きく、ＡＲＩにより小さな動的オフセットを加えるだけでは多重が困難だった端末を、同一ＰＲＢの異なる符号に多重することができる。したがって、より柔軟なマルチユーザＭＩＭＯの端末２００の組み合わせを実現することができ、スケジューリングの自由度を上げられる。
【０１７９】
本開示の第９態様は、前記制御信号を受信したＥ−ＰＤＣＣＨ  ｓｅｔに対応する動的ＡＣＫ／ＮＡＣＫリソースが取り得るリソース領域の開始位置を指示するＡ／Ｎリソースオフセットパラメータの絶対値に応じて前記ＡＲＩの動的オフセット値を定め、前記ＡＲＩの値に応じて、前記動的オフセット値の加算有無を決定する、第１態様の無線通信端末である。
【０１８０】
第９態様によれば、Ａ／Ｎリソースオフセットの絶対値が小さく、他のＤｙｎａｍｉｃ  Ａ／Ｎ領域と重複が起こりやすい場合には、ＡＲＩによる動的オフセットの値を大きくしてＡ／Ｎリソース衝突の確率を下げることができる。一方、Ａ／Ｎリソースオフセットの絶対値が大きく、ＡＲＩによる動的オフセットがＰＵＳＣＨのリソースを減少させやすい場合には、ＡＲＩによる動的オフセットの値を小さくして、ＰＵＳＣＨリソースの減少量を抑えることができる。また、これを追加のシグナリングなしで実現できる。
【０１８１】
本開示の第１０態様は、前記ＡＲＩのビット数が２ビットまたはそれ以上である、第１態様の無線通信端末である。
【０１８２】
第１０態様によれば、ＡＲＩで複数のＡ／Ｎリソースから使用するものを動的に選ぶことができるので、ＰＵＣＣＨオーバーヘッドの削減とＡ／Ｎリソース衝突の低減を同時に実現できる。
【０１８３】
本開示の第１１態様は、前記ＡＣＫ／ＮＡＣＫ指標（ＡＲＩ：ACK/NACK Resource Indicator）が指示するオフセット値を、制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しているか否かに応じて決定し、前記ＡＲＩの値に応じてＡＣＫ／ＮＡＣＫリソースにオフセットを与える制御部と、前記ＡＲＩを含んだ前記制御信号を、１つまたは複数のＥ−ＰＤＣＣＨ  ｓｅｔの中からいずれか１つのＥ−ＰＤＣＣＨ  ｓｅｔを介して送信する送信部と、を具備する基地局装置である。
【０１８４】
第１１態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が、設定されてはいるものの他のＥ−ＰＤＣＣＨ  ｓｅｔに対応するＤｙｎａｍｉｃ  Ａ／Ｎ領域と重複する場合、重複しない場合それぞれで、ＡＲＩによる動的オフセット値を切り替えることができる。そしてこの切り替えにより、複数のＤｙｎａｍｉｃ  Ａ／Ｎ領域同士が重複する場合にはＡＲＩで指示するオフセット値を小さくしてさらなるＰＵＣＣＨオーバーヘッド増大を抑え、重複しない場合にはＡＲＩで指示するオフセット値を大きくしてＡ／Ｎリソースの衝突を回避することができる。よって、Ｄｙｎａｍｉｃ  Ａ／Ｎ領域の運用状況に応じて、Ａ／Ｎリソースの衝突回避およびＰＵＣＣＨオーバーヘッド抑圧に寄与できる。また、これらを追加のシグナリングなしで実現できる。
【０１８５】
本開示の第１２態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩで指示するオフセット値を、前記制御信号を受信したＥ−ＰＤＣＣＨ  ｓｅｔに対応する動的ＡＣＫ／ＮＡＣＫリソースが取り得るリソース領域と同じまたはそれに定数を加えたものとして決定し、それによりＡＣＫ／ＮＡＣＫ信号を送信するＡＣＫ／ＮＡＣＫリソースを決定する制御部を具備する、第１１態様記載の基地局装置である。
【０１８６】
第１２態様によれば、Ｅ−ＰＤＣＣＨ  ｓｅｔに含まれるＰＲＢの個数に応じて異なり得るＤｙｎａｍｉｃ  Ａ／Ｎ領域の大きさに応じて、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０１８７】
本開示の第１３態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応する動的ＡＣＫ／ＮＡＣＫリソースと他のＥ−ＰＤＣＣＨ  ｓｅｔに対応する動的ＡＣＫ／ＮＡＣＫリソースが取り得るリソース領域とで重複しているリソースの数により決定し、それによりＡＣＫ／ＮＡＣＫ信号を送信するＡＣＫ／ＮＡＣＫリソースを決定する制御部を具備する、第１１態様記載の基地局装置である。
【０１８８】
第１３態様によれば、Ｅ−ＰＤＣＣＨ制御情報がＤｙｎａｍｉｃ  Ａ／Ｎ領域が部分的に重複する場合に、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０１８９】
本開示の第１４態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応して上位レイヤから通知されるＡＣＫ／ＮＡＣＫリソースオフセットの値と他のＥ−ＰＤＣＣＨ  ｓｅｔに対応して上位レイヤから通知されるＡＣＫ／ＮＡＣＫリソースオフセットの値との差分に基づき決定し、それによりＡＣＫ／ＮＡＣＫ信号を送信するＡＣＫ／ＮＡＣＫリソースを決定する制御部を具備する、第１１態様の基地局装置である。
【０１９０】
第１４態様によれば、Ｅ−ＰＤＣＣＨ制御情報がＤｙｎａｍｉｃ  Ａ／Ｎ領域が部分的に重複する場合のＡＲＩによる適切な動的オフセット値を、少ない演算処理にて導くことができる。また、これを追加のシグナリングなしで実現できる。
【０１９１】
本開示の第１５態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しており、なおかつ重複する前記リソース領域の大きさが違う場合に、前記ＡＲＩが指示するオフセット値を、重複している前記リソース領域の大きさに合わせて決定し、それによりＡＣＫ／ＮＡＣＫ信号を送信するＡＣＫ／ＮＡＣＫリソースを決定する制御部を具備する、第１１態様の基地局装置である。
【０１９２】
第１５態様によれば、複数のＥ−ＰＤＣＣＨ  ｓｅｔに対応するＤｙｎａｍｉｃ  Ａ／Ｎ領域の大きさが異なる場合であっても、確実に衝突を回避できるオフセットを設定できる。また、これを追加のシグナリングなしで実現できる。
【０１９３】
本開示の第１６態様は、前記制御信号を受信したＥ−ＰＤＣＣＨ  ｓｅｔに対応する動的ＡＣＫ／ＮＡＣＫリソースが取り得るリソース領域とＰＤＣＣＨに対応する動的ＡＣＫ／ＮＡＣＫリソースが取り得るリソース領域がと重複している場合に、前記ＡＲＩが指示するオフセット値を、前記ＰＤＣＣＨに対応する動的ＡＣＫ／ＮＡＣＫリソースが取り得る領域の大きさに合わせて決定し、それによりＡＣＫ／ＮＡＣＫ信号を送信するＡＣＫ／ＮＡＣＫリソースを決定する制御部を具備する、第１１態様の基地局装置である。
【０１９４】
第１６態様によれば、Ｅ−ＰＤＣＣＨに対応するＤｙｎａｍｉｃ  Ａ／Ｎ領域とＰＤＣＣＨに対応するＤｙｎａｍｉｃ  Ａ／Ｎ領域を重複して運用する場合でも、ＡＲＩにより適切なオフセットを与えて衝突を回避することができる。また、これを追加のシグナリングなしで実現できる。
【０１９５】
本開示の第１７態様は、前記ＡＲＩが指示するオフセット値を負の値とする、第１１態様の基地局装置である。
【０１９６】
第１７態様によれば、ＡＲＩにより指示したオフセットがＰＵＳＣＨのリソースを減少させないため、オーバーヘッドを増加させずにＡ／Ｎリソースの衝突を回避することができる。
【０１９７】
本開示の第１８態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔまたはＰＤＣＣＨに対応する動的ＡＣＫ／ＮＡＣＫリソースが取り得るリソース領域とが重複していない場合に、前記ＡＲＩの値に応じて、前記ＡＲＩによるオフセットなしで定まる動的ＡＣＫ／ＮＡＣＫのＡＣＫ／ＮＡＣＫリソースに対応する２次拡散系列（ブロックワイズ拡散系列）を、前記２次拡散系列と直交する直交符号への置き換え可否を決定する制御部を具備する、第１１態様の基地局装置である。
【０１９８】
第１８態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が他のＤｙｎａｍｉｃ  Ａ／Ｎ領域と重複していない場合に、ＡＲＩで２次拡散系列の直交符号を変えることができる。これにより、遅延スプレッド差が大きく、ＡＲＩにより小さな動的オフセットを加えるだけでは多重が困難だった端末を、同一ＰＲＢの異なる符号に多重することができる。したがって、より柔軟なマルチユーザＭＩＭＯの端末２００の組み合わせを実現することができ、スケジューリングの自由度を上げられる。また、これを追加のシグナリングなしで実現できる。
【０１９９】
本開示の第１９態様は、前記制御信号を受信したＥ−ＰＤＣＣＨ  ｓｅｔに対応する動的ＡＣＫ／ＮＡＣＫリソースが取り得るリソース領域の開始位置を指示するＡ／Ｎリソースオフセットパラメータの絶対値に応じて前記ＡＲＩの動的オフセット値を定め、前記ＡＲＩの値に応じて、前記動的オフセット値の加算有無を決定する制御部を具備する、第１１態様の基地局装置である。
【０２００】
第１９態様によれば、Ａ／Ｎリソースオフセットの絶対値が小さく、他のＤｙｎａｍｉｃ  Ａ／Ｎ領域と重複が起こりやすい場合には、ＡＲＩによる動的オフセットの値を大きくしてＡ／Ｎリソース衝突の確率を下げることができる。一方、Ａ／Ｎリソースオフセットの絶対値が大きく、ＡＲＩによる動的オフセットがＰＵＳＣＨのリソースを減少させやすい場合には、ＡＲＩによる動的オフセットの値を小さくして、ＰＵＳＣＨリソースの減少量を抑えることができる。また、これを追加のシグナリングなしで実現できる。
【０２０１】
本開示の第２０態様は、前記ＡＣＫ／ＮＡＣＫ指標（ＡＲＩ：ACK/NACK Resource Indicator）が指示するオフセット値を、制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しているか否かに応じて決定し、前記ＡＲＩの値に応じてＡＣＫ／ＮＡＣＫリソースにオフセットを与える、リソース割当方法である。
【０２０２】
第２０態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が、設定されてはいるものの他のＥ−ＰＤＣＣＨ  ｓｅｔに対応するＤｙｎａｍｉｃ  Ａ／Ｎ領域と重複する場合、重複しない場合それぞれで、ＡＲＩによる動的オフセット値を切り替えることができる。そしてこの切り替えにより、複数のＤｙｎａｍｉｃ  Ａ／Ｎ領域同士が重複する場合にはＡＲＩで指示するオフセット値を小さくしてさらなるＰＵＣＣＨオーバーヘッド増大を抑え、重複しない場合にはＡＲＩで指示するオフセット値を大きくしてＡ／Ｎリソースの衝突を回避することができる。よって、Ｄｙｎａｍｉｃ  Ａ／Ｎ領域の運用状況に応じて、Ａ／Ｎリソースの衝突回避およびＰＵＣＣＨオーバーヘッド抑圧に寄与できる。また、これらを追加のシグナリングなしで実現できる。
【０２０３】
本開示の第２１態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩで指示するオフセット値を、前記制御信号を受信したＥ−ＰＤＣＣＨ  ｓｅｔに対応する動的ＡＣＫ／ＮＡＣＫリソースが取り得るリソース領域と同じまたはそれに定数を加えたものとして決定し、それによりＡＣＫ／ＮＡＣＫ信号を送信するＡＣＫ／ＮＡＣＫリソースを決定する、第２０態様記載のリソース割当方法である。
【０２０４】
第２１態様によれば、Ｅ−ＰＤＣＣＨ  ｓｅｔに含まれるＰＲＢの個数に応じて異なり得るＤｙｎａｍｉｃ  Ａ／Ｎ領域の大きさに応じて、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０２０５】
本開示の第２２態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応する動的ＡＣＫ／ＮＡＣＫリソースと他のＥ−ＰＤＣＣＨ  ｓｅｔに対応する動的ＡＣＫ／ＮＡＣＫリソースが取り得るリソース領域とで重複しているリソースの数により決定し、それによりＡＣＫ／ＮＡＣＫ信号を送信するＡＣＫ／ＮＡＣＫリソースを決定する、第２０態様記載のリソース割当方法である。
【０２０６】
第２２態様によれば、Ｅ−ＰＤＣＣＨ制御情報がＤｙｎａｍｉｃ  Ａ／Ｎ領域が部分的に重複する場合に、ＰＵＣＣＨリソースのオーバーヘッドを過剰に増加させず、Ａ／Ｎリソースの衝突確率低減を実現するための適切なＡＲＩオフセット値とすることができる。また、これを追加のシグナリングなしで実現できる。
【０２０７】
本開示の第２３態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複している場合に、前記ＡＲＩが指示するオフセット値を、前記制御信号を受信したＥ−ＰＤＣＣＨ  ｓｅｔに対応して上位レイヤから通知されるＡＣＫ／ＮＡＣＫリソースオフセットの値と他のＥ−ＰＤＣＣＨ  ｓｅｔに対応して上位レイヤから通知されるＡＣＫ／ＮＡＣＫリソースオフセットの値との差分に基づき決定し、それによりＡＣＫ／ＮＡＣＫ信号を送信するＡＣＫ／ＮＡＣＫリソースを決定する、第２０態様記載のリソース割当方法である。
【０２０８】
第２３態様によれば、Ｅ−ＰＤＣＣＨ制御情報がＤｙｎａｍｉｃ  Ａ／Ｎ領域が部分的に重複する場合のＡＲＩによる適切な動的オフセット値を、少ない演算処理にて導くことができる。また、これを追加のシグナリングなしで実現できる。
【０２０９】
本開示の第２４態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔに対応する動的ＡＣＫ／ＮＡＣＫリソースが取り得るリソース領域とが重複しており、なおかつ重複する前記リソース領域の大きさが違う場合に、前記ＡＲＩが指示するオフセット値を、重複している前記リソース領域の大きさに合わせて決定し、それによりＡＣＫ／ＮＡＣＫ信号を送信するＡＣＫ／ＮＡＣＫリソースを決定する、第２０態様記載のリソース割当方法である。
【０２１０】
第２４態様によれば、複数のＥ−ＰＤＣＣＨ  ｓｅｔに対応するＤｙｎａｍｉｃ  Ａ／Ｎ領域の大きさが異なる場合であっても、確実に衝突を回避できるオフセットを設定できる。また、これを追加のシグナリングなしで実現できる。
【０２１１】
本開示の第２５態様は、前記制御信号を受信したＥ−ＰＤＣＣＨ  ｓｅｔに対応する動的ＡＣＫ／ＮＡＣＫリソースが取り得るリソース領域とＰＤＣＣＨに対応する動的ＡＣＫ／ＮＡＣＫリソースが取り得るリソース領域とが重複している場合に、前記ＡＲＩが指示するオフセット値を、前記ＰＤＣＣＨに対応する動的ＡＣＫ／ＮＡＣＫリソースが取り得る領域の大きさに合わせて決定し、それによりＡＣＫ／ＮＡＣＫ信号を送信するＡＣＫ／ＮＡＣＫリソースを決定する、第２０態様記載のリソース割当方法である。
【０２１２】
第２５態様によれば、Ｅ−ＰＤＣＣＨに対応するＤｙｎａｍｉｃ  Ａ／Ｎ領域とＰＤＣＣＨに対応するＤｙｎａｍｉｃ  Ａ／Ｎ領域を重複して運用する場合でも、ＡＲＩにより適切なオフセットを与えて衝突を回避することができる。また、これを追加のシグナリングなしで実現できる。
【０２１３】
本開示の第２６態様は、前記制御信号を受信したＥ−ＰＤＣＣＨ  ｓｅｔに対応する動的ＡＣＫ／ＮＡＣＫリソースが取り得るリソース領域と他のＥ−ＰＤＣＣＨ  ｓｅｔまたはＰＤＣＣＨに対応する動的ＡＣＫ／ＮＡＣＫリソースが取り得るリソース領域とが重複していない場合に、前記ＡＲＩの値に応じて、前記ＡＲＩによるオフセットなしで定まる動的ＡＣＫ／ＮＡＣＫのＡＣＫ／ＮＡＣＫリソースに対応する２次拡散系列（ブロックワイズ拡散系列）を、前記２次拡散系列と直交する直交符号への置き換え可否を決定する、第２０態様記載のリソース割当方法である。
【０２１４】
第２６態様によれば、Ｅ−ＰＤＣＣＨ制御情報が送受信されたＥ−ＰＤＣＣＨ  ｓｅｔに対応するＤｙｎａｍｉｃ  Ａ／Ｎ領域が他のＤｙｎａｍｉｃ  Ａ／Ｎ領域と重複していない場合に、ＡＲＩで２次拡散系列の直交符号を変えることができる。これにより、遅延スプレッド差が大きく、ＡＲＩにより小さな動的オフセットを加えるだけでは多重が困難だった端末を、同一ＰＲＢの異なる符号に多重することができる。したがって、より柔軟なマルチユーザＭＩＭＯの端末２００の組み合わせを実現することができ、スケジューリングの自由度を上げられる。また、これを追加のシグナリングなしで実現できる。
【０２１５】
本開示の第２７態様は、前記制御信号を受信したＥ−ＰＤＣＣＨ  ｓｅｔに対応する動的ＡＣＫ／ＮＡＣＫリソースが取り得るリソース領域の開始位置を指示するＡ／Ｎリソースオフセットパラメータの絶対値に応じて前記ＡＲＩの動的オフセット値を定め、前記ＡＲＩの値に応じて、前記動的オフセット値の加算有無を決定する、第２０態様記載のリソース割当方法である。
【０２１６】
第２７態様によれば、Ａ／Ｎリソースオフセットの絶対値が小さく、他のＤｙｎａｍｉｃ  Ａ／Ｎ領域と重複が起こりやすい場合には、ＡＲＩによる動的オフセットの値を大きくしてＡ／Ｎリソース衝突の確率を下げることができる。一方、Ａ／Ｎリソースオフセットの絶対値が大きく、ＡＲＩによる動的オフセットがＰＵＳＣＨのリソースを減少させやすい場合には、ＡＲＩによる動的オフセットの値を小さくして、ＰＵＳＣＨリソースの減少量を抑えることができる。また、これを追加のシグナリングなしで実現できる。
【０２１７】
２０１２年９月２７日出願の特願２０１２−２１４９８１の日本出願に含まれる明細書、図面および要約書の開示内容は、すべて本願に援用される。
【産業上の利用可能性】
【０２１８】
本発明の一態様は、移動体通信システム等に適用できる。
【符号の説明】
【０２１９】
１１  アンテナ
１２  制御情報生成部
１３  制御情報符号化部
１４、１７  変調部
１５  データ符号化部
１６  再送制御部
１８  サブフレーム構成部
１９  ＩＦＦＴ部
２０  ＣＰ付加部
２１  無線送信部
２２  無線受信部
２３  ＣＰ除去部
２４  逆拡散部
２５  相関処理部
２６  判定部
４１  アンテナ
４２  無線受信部
４３  ＣＰ除去部
４４  ＦＦＴ部
４５  抽出部
４６  データ復調部
４７  データ復号部
４８  判定部
４９  制御情報復調部
５０  制御情報復号部
５１  制御情報判定部
５２  制御処理部
５３  Ａ／Ｎ信号変調部
５４  １次拡散部
５５、６０  ＩＦＦＴ部
５６  ＣＰ付加部
５７  ２次拡散部
５８  多重部
５９  無線送信部
６１  ＣＰ付加部
６２  拡散部
１００  基地局
１１０  制御部
１２０  送信部
２００  端末
２１０  送信部
２２０  制御部
２３０  受信部
【図１】
2020114004.tif 000005
【図２】
2020114004.tif 000006
【図３】
2020114004.tif 000007
【図４】
2020114004.tif 000008
【図５】
2020114004.tif 000009
【図６】
2020114004.tif 000010
【図７】
2020114004.tif 000011
【図８】
2020114004.tif 000012
【図９】
2020114004.tif 000013
【図１０】
2020114004.tif 000014
【図１１】
2020114004.tif 000015
【図１２】
2020114004.tif 000016
【図１３】
2020114004.tif 000017
【図１４】
2020114004.tif 000018
【図１５】
2020114004.tif 000019
【図１６】
2020114004.tif 000020
【図１７】
2020114004.tif 000021